(57)【要約】  開示されているのは、（ｉ）少なくとも７重量％の１種もしくは複数のクラス１芳香成分、（ｉｉ）５〜８５重量％の１種もしくは複数のクラス２芳香成分、および（ｉｉｉ）０〜８０重量％の１種もしくは複数のクラス３芳香成分をそれぞれ含有する芳香アコードである。クラス１、２、および３の芳香成分は、実験速度によって定義される。また開示されているのは、このような芳香アコードを含有する送達システムおよび消費者製品である。【特許請求の範囲】
【請求項１】
（ｉ）少なくとも７重量％の１種もしくは複数のクラス１芳香成分、
（ｉｉ）５〜９３重量％の１種もしくは複数のクラス２芳香成分、および
（ｉｉｉ）０〜８０重量％の１種もしくは複数のクラス３芳香成分
を含む芳香アコードであって、
前記クラス１芳香成分のそれぞれは、８．５ｃｍ／秒もしくはそれよりも多い実験速度を有し、
前記クラス２芳香成分のそれぞれは、８．５ｃｍ／秒未満および５ｃｍ／秒超の実験速度を有し、
前記クラス３芳香成分のそれぞれは、５ｃｍ／秒もしくはそれ未満の実験速度を有する、芳香アコード。
【請求項２】
前記クラス１芳香成分のそれぞれが、５０００ジュール超の運動エネルギーを有し、前記クラス２芳香成分のそれぞれが、１４００〜５０００ジュールの運動エネルギーを有する、請求項１に記載の芳香アコード。
【請求項３】
１種もしくは複数の悪臭中和剤、または１種もしくは複数の抗菌剤をさらに含む、請求項１または２に記載の芳香アコード。
【請求項４】
前記クラス１芳香成分、前記クラス２芳香成分、および前記クラス３芳香成分の合計が、１００％である、請求項１〜３のいずれか１項に記載の芳香アコード。
【請求項５】
精油をさらに含む、請求項１〜４のいずれか１項に記載の芳香アコード。
【請求項６】
少なくとも８重量％の２種以上のクラス１芳香成分を含む、請求項１〜５のいずれか１項に記載の芳香アコード。
【請求項７】
少なくとも５種のクラス１芳香成分を含む、請求項１〜６のいずれか１項に記載の芳香アコード。
【請求項８】
５〜７０重量％の前記クラス２芳香成分を含む、請求項１〜７のいずれか１項に記載の芳香アコード。
【請求項９】
２０〜１００重量％の前記クラス１およびクラス２芳香成分を含む、請求項１〜８のいずれか１項に記載の芳香アコード。
【請求項１０】
少なくとも０．５の芳香強度インデックスを有する、請求項１〜９のいずれか１項に記載の芳香アコード。
【請求項１１】
請求項１〜１０のいずれか１項に記載の芳香アコードを含む、送達システム。
【請求項１２】
請求項１〜１０のいずれか１項に記載の芳香アコードを含む、消費者製品。
【請求項１３】
前記芳香アコードが、前記消費者製品の０．００５〜１０重量％のレベルで添加される、請求項１１に記載の消費者製品。
【請求項１４】
前記消費者製品が、シャンプー、ヘアコンディショナー、ヘアリンス、ヘアリフレッシャー、ヘア固定助剤またはスタイリング助剤、ヘアブリーチ、ヘアダイまたは着色剤、バー石鹸、ボディー洗浄液、化粧用調製物、汎用クリーナー、浴室用クリーナー、床用クリーナー、窓用クリーナー、トイレットペーパー、ペーパータオル、使い捨てウェットティッシュ、おむつ皮膚炎用クリームまたはバーム、ベビーパウダー、おむつ、よだれ掛け、赤ちゃん用ウェットティッシュ、口腔ケア製品、練り歯磨き、口腔リンス、歯の漂白剤、義歯接着剤、ハンド殺菌剤、抗炎症性バーム、抗炎症性軟膏剤、抗炎症性スプレー、ヘルスケア道具、デンタルフロス、歯ブラシ、タンポン、女性用ナプキン、パーソナルケア製品、日焼け止め剤ローション、日焼け止め剤スプレー、ワックスをベースとする脱臭剤、グリコールタイプの脱臭剤、石鹸タイプの脱臭剤、フェイシャルローション、ボディーローション、ハンドローション、ボディーパウダー、ひげそりクリーム、バスソーク、角質除去スクラブ、フットクリーム、化粧紙、クレンジングウェットティッシュ、ファブリックケア製品、ファブリック柔軟剤、ファブリックリフレッシャー、アイロンかけ用水、液体洗濯用洗剤、洗濯用粉末洗剤、液体皿用洗剤、自動皿用洗剤、単位用量錠剤またはカプセル剤、香りブースター、乾燥機用シート状仕上げ剤、きめ細かい芳香、固体香料、オードパルファム、パルファム、オーデコロン、アルコール非含有香料、香料パウダー、香料ワックス、香料エマルジョン、粉末ファンデーション、液体ファンデーション、アイシャドウ、リップスティックまたはリップクリーム、オードトワレ製品、脱臭剤、じゅうたん用消臭剤、ロウソク、部屋用消臭剤、消毒剤、ブリーチ、エアゾール制汗剤、スティック制汗剤、ロールオン制汗剤、エマルジョンスプレー制汗剤、クリアエマルジョンスティック制汗剤、ソフト固体制汗剤、エマルジョンロールオン制汗剤、クリアエマルジョンスティック制汗剤、不透明エマルジョンスティック制汗剤、クリアゲル制汗剤、クリアスティック脱臭剤、スプレー脱臭剤、香料ゲル、香料エマルジョン、香料クリーム、香料油、ワックス、ヘア香料、布用香料、脱臭剤香料、フォーミングバス、バスオイル、バスソルト、バスサシェ、浴用硼砂、バスタブレット、香料ジュエル、香料を付けたポリマー、あるいはデジタル装置のための芳香組成物である、請求項１２または１３に記載の消費者製品。
【請求項１５】
前記芳香アコードが、前記消費者製品の０．０１〜０．５重量％のレベルで添加され、前記消費者製品が、シャンプー、ヘアコンディショナー、バー石鹸、ボディー洗浄液、汎用クリーナー、ファブリックコンディショナー、液体洗濯用洗剤、または洗濯用粉末洗剤である、請求項１２〜１４のいずれか１項に記載の消費者製品。
【請求項１６】
５重量％もしくはそれよりも多い請求項１〜１０のいずれか１項に記載の芳香アコードを含む、芳香組成物。
【発明の詳細な説明】
【技術分野】
【０００１】
関連出願の相互参照
本出願は、参照により本明細書中にその内容の全体が組み込まれている２０１６年１０月１４日に出願された米国特許出願第６２／４０８，３５０号明細書に対する優先権を主張する。
【背景技術】
【０００２】
全ての公知の芳香組成物は、芳香化学物質と、適用可能な場合、単一の芳香成分または精油から生じさせることができない特定の嗅覚による臭気を生じさせるために使用される他のタイプの原料との特定の組合せである少なくとも１種の芳香アコードを含む。
【０００３】
芳香組成物は種々の消費者製品において使用され、不快なベースまたは悪臭をマスクすること、心地良い嗅覚の美的利点を提供すること、消費者のフィーリング（例えば、幸福、刺激、リラクゼーションなど）を誘発すること、ならびに製品の性状および機能のシグナル（例えば、新鮮さ、清浄度など）を暗示することの範囲に及ぶいくつかの利点を与える。
【０００４】
消費者の利益をもたらす、優れたまたは増進された特性を有する特定の製品用途に適した芳香アコードおよび芳香組成物を設計する試みが行われてきた。それらの物理的、化学的、生物学的または知覚特性に基づいたこれらの芳香成分の選択について教示している多数の公開資料が存在する。例えば、国際公開第１９９９／０６５４５８号パンフレットは、沸点、分配係数（ＣｌｏｇＰ）および測定された臭気検出閾値の組合せに基づいた高影響のアコードへと配合される芳香成分の２つのカテゴリーを定義している。これらのアコードは、デンプン中に任意選択でカプセル化され、水に分散されたとき洗剤粉末からの芳香のブーストを実現することができる。米国特許第９，２２２，０５５号明細書は、７５％〜１００％の、７６０ｍｍＨｇの圧力にて１００℃〜３００℃の沸点、７０原子質量単位〜１７５原子質量単位の範囲内の分子量、および０〜４のＣｌｏｇＰ値を有する少なくとも２種の重要な芳香成分を含む高強度の芳香を提供している。米国特許出願公開第２００５／０００３９７５号明細書はまた、沸点、計算したＣＬｏｇＰ、および臭気検出閾値によって分類される高影響のアコード香料成分から構成される香料組成物を開示している。欧州特許第１９６４５４号明細書は、アレルギー反応を低減させる消費者製品中に使用するための芳香組成物について記載している。国際公開第１９９７／０３４９８７号パンフレットは、自動食器洗い機用洗剤組成物中で使用するためのブルーミング香料組成物を開示している。
【発明の概要】
【発明が解決しようとする課題】
【０００５】
上記の多くの試みに関わらず、高性能および高影響のブルーム芳香アコードを設計することが依然として必要とされている。
【課題を解決するための手段】
【０００６】
本発明の一態様は、（ｉ）少なくとも７重量％（例えば、７〜９５重量％）のクラス１芳香成分、（ｉｉ）５〜９５重量％（例えば、５〜８０重量％、１０〜８０重量％、および１０〜７０重量％）のクラス２芳香成分、ならびに（ｉｉｉ）０〜８０重量％のクラス３芳香成分を含有する、消費者製品（例えば、ファブリックケア製品）中で使用するための高強度のブルーム芳香アコードを提供し、ここで、クラス１芳香成分のそれぞれは、８．５ｃｍ／秒もしくはそれよりも多い実験速度を有し、クラス２芳香成分のそれぞれは、８．５ｃｍ／秒未満および５ｃｍ／秒超の実験速度を有し、クラス３芳香成分のそれぞれは、５ｃｍ／秒もしくはそれ未満の実験速度を有する。
【０００７】
一部の実施形態では、高強度のブルーム芳香アコードは、悪臭を中和するのに有効な量で悪臭中和剤をさらに含有する。他の実施形態では、高強度のブルーム芳香アコードは、クラス１、２、および３成分から選択される成分以外の成分を含有しない。すなわち、クラス１芳香成分、クラス２芳香成分、およびクラス３芳香成分の合計は、１００％である。
【０００８】
典型的には、芳香アコードは、少なくとも２（例えば、少なくとも３、少なくとも５および少なくとも７）種のクラス１芳香成分を含む。
【０００９】
一部の実施形態では、芳香アコードは、２０〜１００重量％のクラス１およびクラス２芳香成分を含有する。
【００１０】
本発明の別の態様は、１種もしくは複数の上記の芳香アコードを含む送達システムに関する。
【００１１】
また本発明の範囲内であるのは、ブルーム芳香組成物の重量によって、５％もしくはそれよりも多い（例えば、６％もしくはそれよりも多い、７％もしくはそれよりも多い、１０％もしくはそれよりも多い、および２０％もしくはそれよりも多い）上記の任意の芳香アコードを含有するブルーム芳香組成物である。これらの芳香組成物は典型的には、少なくとも３％（例えば、少なくとも４％、少なくとも５％、および少なくとも７％）のクラス１成分の２つ以上を含有する。本発明のブルーム芳香アコードは、芳香組成物の性能（例えば、ブルームスピードおよび芳香強度）を予想外に改善させる。
【００１２】
また本発明の範囲内であるのは、好ましくは、消費者製品の０．０５〜２０重量％のレベルで、１種もしくは複数の本発明の芳香アコードを含む消費者製品に関する。消費者製品の例は、シャンプー、ヘアコンディショナー、ヘアリンス、ヘアリフレッシャー、ヘア固定助剤またはスタイリング助剤、ヘアブリーチ、ヘアダイまたは着色剤、石鹸、例えば、バー石鹸、ボディー洗浄液、化粧用調製物、汎用クリーナー、浴室用クリーナー、床用クリーナー、窓用クリーナー、トイレットペーパー、ペーパータオル、使い捨てウェットティッシュ、おむつ皮膚炎用クリームまたはバーム、ベビーパウダー、おむつ、よだれ掛け、赤ちゃん用ウェットティッシュ、口腔ケア製品、練り歯磨き、口腔リンス、歯の漂白剤、義歯接着剤、ハンド殺菌剤、抗炎症性バーム、抗炎症性軟膏剤、抗炎症性スプレー、ブリーチ、ヘルスケア道具、デンタルフロス、歯ブラシ、タンポン、女性用ナプキン、パーソナルケア製品、日焼け止め剤ローション、日焼け止め剤スプレー、ワックスをベースとする脱臭剤、グリコールタイプの脱臭剤、石鹸タイプの脱臭剤、フェイシャルローション、ボディーローション、ハンドローション、ボディーパウダー、ひげそりクリーム、バスソーク、角質除去スクラブ、フットクリーム、化粧紙、クレンジングウェットティッシュ、ファブリックケア製品、ファブリック柔軟剤、ファブリックリフレッシャー、アイロンかけ用水、液体洗濯用洗剤、洗濯用粉末洗剤、液体皿用洗剤、自動皿用洗剤、単位用量錠剤またはカプセル剤、香りブースター、乾燥機用シート状仕上げ剤、きめ細かい芳香、固体香料、粉末ファンデーション、液体ファンデーション、アイシャドウ、リップスティックまたはリップクリーム、オードトワレ製品、脱臭剤、じゅうたん用消臭剤、ロウソク、部屋用消臭剤、消毒剤、エアゾール制汗剤、スティック制汗剤、ロールオン制汗剤、エマルジョンスプレー制汗剤、クリアエマルジョンスティック制汗剤、ソフト固体制汗剤、エマルジョンロールオン制汗剤、クリアエマルジョンスティック制汗剤、不透明エマルジョンスティック制汗剤、クリアゲル制汗剤、クリアスティック脱臭剤、スプレー脱臭剤、香料ゲル、香料エマルジョン、香料クリーム、香料油、ワックス、ヘア香料、布用香料、脱臭剤香料、フォーミングバス、バスオイル、バスソルト、バスサシェ、浴用硼砂、バスタブレット、香料ジュエル、芳香付けしたポリマー、およびデジタル装置のための芳香組成物を含む。
【００１３】
本発明の１つもしくは複数の実施形態の詳細を、下記の記載内容において示す。本発明の他の特徴、目的、および利点は、記載内容および特許請求の範囲から明らかである。
【発明を実施するための形態】
【００１４】
クリーニング製品、例えば、粉末洗剤を水中に注ぐとき、泡立ちが始まり、それが蒸散するにつれ消費者は芳香を経験し始める。通常のブルーム分析は、この段階に焦点を合わせない。
【００１５】
出願人は、高い実験速度（拡散スピードの指標）を有する芳香成分が泡立ち段階およびブルーム段階において芳香アコードの性能を予想外に増加させることを見出してきた。したがって、芳香成分を、それらの実験速度について個々に試験し、３つのクラスに分けた。
【００１６】
クラス１芳香成分のそれぞれは、８．５ｃｍ／秒もしくはそれよりも多い実験速度を有する。これらの芳香成分のそれぞれは典型的には、（ｉ）炭素原子、水素原子、酸素原子、および窒素原子からなる群から選択される少なくとも８個の原子；（ｉｉ）アルデヒド（−ＣＨＯ）、ヒドロキシル（−ＯＨ）、オレフィン（Ｃ＝Ｃ）、エーテル（−Ｏ−）、エステル（−Ｃ（Ｏ）Ｏ−）、フェニル、フラニル、およびピラジニル基からなる群から選択される官能基；（ｉｉｉ）室温にて０．０００３〜２０ｍｍＨｇ（例えば、０．００３〜７ｍｍＨｇ）の蒸気圧；（ｉｖ）１００〜２８０原子質量単位（例えば、１００原子質量単位および２００原子質量単位）の範囲内の分子量；ならびに（ｖ）１〜５．５（例えば、１．５〜４．５）のｌｏｇＰ値を有する。他の適切な官能基は、ケトン（Ｒ−ＣＯ−Ｒ）、芳香族、例えば、第二級芳香族アミン（Ａｒ−ＮＨ−Ｒ）、カルボン酸（Ｒ−ＣＯＯＨ）、ラクトンおよびエポキシド官能基を含む。特定の実施形態では、官能基は、アルデヒド、芳香族またはエステル官能基である。Ｐｏｌｉｎｇ，ｅｔ  ａｌ．（２０００）Ｔｈｅ  Ｐｒｏｐｅｒｔｉｅｓ  ｏｆ  Ｇａｓｅｓ  ａｎｄ  Ｌｉｑｕｉｄｓ，５ｔｈ  Ｅｄｉｔｉｏｎ，ＭｃＧｒａｗ−Ｈｉｌｌを参照されたい。また、米国特許第６，１４３，７０７号明細書、米国特許第６，６０１，７８９号明細書、米国特許出願公開第２００４／０１３８０７８号明細書、および欧州特許第０８８８４４０号明細書または芳香成分の一般的物理的特性に関するさらなる詳細を参照されたい。
【００１７】
クラス２芳香成分のそれぞれは、８．５ｃｍ／秒未満および５ｃｍ／秒超の実験速度を有する。クラス３芳香成分のそれぞれは、５ｃｍ／秒もしくはそれ未満の実験速度を有する。
【００１８】
実験速度は、芳香が移動する距離（６０ｃｍ）を拡散スピードで除したものとして計算する。用語「拡散スピード」は、室温（すなわち、２５℃）にて２リットルの水、および嗅覚的有効量の芳香成分（０．００５〜０．１重量％で添加する）を含有する１０ｇのモデル粉末洗剤を穏やかに撹拌しながら混合したときからの、６０ｃｍの距離で測定する芳香成分の嗅覚的検出のために必要とされる時間を指す。モデル粉末洗剤は、測定される芳香成分以外の任意の他の芳香を含有しない。
【００１９】
実験速度は、泡立ち段階においてどのように芳香成分が機能するかの指標を提供し、ファブリックケア製品、パーソナルケア製品、およびハウスケア製品を含めた消費者製品についてのブルーミング技術のガイドラインを作製した。実験速度は、どれだけ速く芳香成分が水から蒸散し、鼻へと移動するかを測定する。芳香成分のいくつかの物理的特性は、拡散スピード、例えば、蒸気圧、分子量、ＬｏｇＰなどに対して影響を有する。
【００２０】
予想外に、成分レベル、アコードレベルおよび総製品配合物レベルでの性能は、従前の成分性能研究と、または公知の精神化学的−物理化学的特性およびこれらの間の関係との相関関係を有さない。むしろ、芳香成分の拡散スピードは、芳香強度および部屋いっぱいに広がる適応力に関して消費者製品の性能に対して直接の影響を有する。
【００２１】
用語「部屋いっぱいに広がる適応力」は、２５℃にて穏やかに撹拌しながら、２リットルの水と、嗅覚的有効量の芳香成分（モデル粉末洗剤の０．００５〜０．１重量％で添加する）を含有する１０ｇのモデル粉末洗剤とを混合した時の１０分後の芳香強度を指す。
【００２２】
したがって、本発明は、増進された拡散スピード、芳香強度およびブルーム／部屋いっぱいに広がること、増加した悪臭のカバー／低減、新鮮および清浄な芳香感覚性状、優れた衛生および増加した持続可能性を有する、消費者製品中で使用するための高強度のブルーム芳香アコードを提供する。
【００２３】
当技術分野で通常であるように、「芳香アコード」は、２種以上の芳香原料または芳香成分の混合物またはブレンドを指す。化合物、例えば、アルデヒド、ケトンおよびエステルを含めて多種多様の化学物質が、芳香成分として当技術分野において公知である。より一般に、様々な化学物質構成要素の複合混合物から構成される天然の植物および動物の油および浸出液は、芳香成分としての使用について公知である。この点において、本明細書において芳香成分は、単一の化学物質から構成されるそれらの組成物において相対的に単純であり得るか、または全てが任意の所望の臭気を実現するように選択された、天然および合成の化学物質構成要素の高度に洗練された複合混合物を含むことができる。
【００２４】
一部の実施形態では、本発明の芳香アコードは、少なくとも２（例えば、少なくとも３、少なくとも４、少なくとも５、少なくとも６、および少なくとも７）種のクラス１芳香成分から構成される。他の実施形態では、芳香アコードは、クラス１および２芳香成分から選択される少なくとも１０種の芳香成分、例えば、少なくとも１５種、少なくとも２０種、少なくとも２５種、少なくとも３０種、少なくとも３５種、少なくとも４０種、少なくとも４５種、および／または少なくとも５０種のクラス１および２芳香成分を含む。芳香アコードを作り上げる芳香原料が多いほど、芳香アコードはより複雑であると考えられる。例えば、より単純な芳香アコードは、相対的に少数の芳香原料、例えば、１０種未満、８種未満、および／または５種未満の芳香原料を含む。対照的に、より複雑な芳香アコードは、相対的により多数の芳香原料、例えば、少なくとも２５種、少なくとも３０種、および／または少なくとも４０種もしくはそれよりも多い芳香原料を含む。
【００２５】
「未希釈」または「未希釈油」は、外来性の物体を含有しない芳香アコードを指す。未希釈芳香アコードは、芳香成分のみを含み、カプセル化されておらず、かつ／または芳香成分の放出における遅延をもたらす他の化合物と結合していない。ある特定の実施形態では、芳香アコードは、「未希釈芳香アコード」である。
【００２６】
芳香アコードの「ブルーム」は、使用中の製品の溶解によって体験する、芳香強度および容積における増大を指す。これは、香料の即座の「バースト」、または拡散性の長期的なブルームであり得る。本発明によると、「ブルーム」は、実験速度、臭気性能（例えば、泡立ち相の開始の２５秒後の芳香強度）、および／または部屋いっぱいに広がる能力（例えば、泡立ち相の開始の１０分後の密封したブースにおける芳香強度）によってアセスメントすることができる。「高強度のブルーム」を有する芳香アコードは、８．５ｃｍ／秒もしくはそれよりも多い実験速度、０〜５の感覚スケールにおいて少なくとも２．５の臭気性能、および／または少なくとも２．５の部屋いっぱいに広がる能力を有し、ここで、０は、臭いがないことを示し、５は、非常に強い臭いを示す。
【００２７】
本発明の芳香アコードは典型的には、少なくとも０．１（例えば、少なくとも０．５、少なくとも１、０．１〜５、０．２〜４、０．５〜３、および１．５）のブルーム芳香強度インデックスを有する。ブルーム芳香強度インデックスは、（ｉ）芳香アコードまたは成分の感覚強度スコアと、（ｉｉ）標準物質としてアリルアミルグリコレート（ＡＡＧ）の感覚強度スコアとの間の比である。ＡＡＧの感覚強度スコアは、ＡＡＧが適当な溶媒（例えば、フタル酸ジエチル）に０．０１５％の濃度で溶解しているとき、官能検査パネラーによって評価される０〜１００の範囲でスケール化される。芳香アコードまたは成分はまた、０．０１５％の濃度で同じパネルによって評価される。５のスコアは、芳香または成分が中くらいの臭いを有することを意味する。１５のスコアは、芳香または成分が中くらいの臭いを有することを示す。３５のスコアは、強い臭いを示す。
【００２８】
ブルーム芳香強度スコアは、下記のように評価する。評価の開始の前に、容積空間において飽和させ、平衡濃度に達するのに十分な時間を与えるために１枚の洗浄したタオルを小さなブース中に置く。パネルは、部屋いっぱいに広がることについて窓からの強度を評価する。ＡＡＧを標準物質として評価する。次いで、ブルーム芳香強度インデックスは、芳香アコードまたは成分の感覚強度スコア／ＡＡＧの感覚強度スコアとして計算する。
【００２９】
クラス１およびクラス２成分のそれぞれは、少なくとも０．１（例えば、少なくとも０．２、少なくとも０．５、０．１〜５、０．２〜４、および０．５〜３）のブルーム芳香強度を有する。
【００３０】
芳香成分、標準物質、アコード、芳香組成物、および消費者製品のそれぞれを、上記のように評価することができ、芳香強度インデックスを計算するための０〜１００のスケールに規準化することができる異なるスケールを使用した当技術分野において周知のプロトコルに従って、また評価することができる。
【００３１】
各クラス１成分は典型的には、５０００ジュール超（例えば、５００１〜５００００ジュールおよび５５００〜２５０００ジュール）の運動エネルギーを有する。各クラス２成分は、１４００〜５０００ジュールの運動エネルギーを有する。
【００３２】
分子の運動エネルギー（ＫＥ）を、下記の等式によってその質量および速度を使用して計算する：ＫＥ＝１/２×質量×速度２。速度は、その分子が無視できる空間を占有し、かつ相互作用を有さず、したがって、気体法則に正確に従う、理想気体中を移動する分子のスピードである。運動学的理論は、気体状態の全ての分子が理想的に挙動し、これは空気中に高度に希釈されている芳香分子について妥当と思われることを想定する。任意の理論に束縛されるものではないが、高い運動エネルギーを有する芳香分子は、消費者製品中で使用されるとき、容易に蒸散し、高スピードで移動し、鼻に達することができる。
【００３３】
芳香成分の蒸気圧は、マノメーターを使用して容易に測定することができるか、または参照プログラムＥＰＩスイートｖ４．００、２０００〜２００８米国環境保護庁によって計算することができる。クラス１芳香成分は、室温にて０．０００２ｍｍＨｇ〜２０ｍｍＨｇの蒸気圧を有することができ、蒸気圧の下限は、０．０００２ｍｍＨｇ、０．０００５ｍｍＨｇ、０．００１ｍｍＨｇ、または０．００５ｍｍＨｇであり得、量の上限は、室温（すなわち、２５℃）にて２０ｍｍＨｇ、１５ｍｍＨｇ、１０ｍｍＨｇ、１５ｍｍＨｇ、１０ｍｍＨｇ、８ｍｍＨｇ、および７ｍｍＨｇであり得る。多数の芳香成分についての蒸気圧データは、文献において利用可能である。例えば、Ｙａｗｓ’Ｈａｎｄｂｏｏｋ  ｏｆ  Ｔｈｅｒｍｏｄｙｎａｍｉｃ  ａｎｄ  Ｐｈｙｓｉｃａｌ  Ｐｒｏｐｅｒｔｉｅｓ  ｏｆ  Ｃｈｅｍｉｃａｌ  Ｃｏｍｐｏｕｎｄｓ（Ｎｏｒｗｉｃｈ，ＮＹ，２００３）を参照されたい。
【００３４】
クラス１または２芳香成分の分子量は変化することができるが、好ましくは、１００〜２８０ダルトンの範囲内であり、分子量の下限は、１００ダルトン、１１０ダルトン、１２０ダルトン、１３０ダルトン、１４０ダルトン、１５０ダルトン、１６０ダルトン、１７０ダルトン、１８０ダルトンまたは１９０ダルトンであり得、分子量の上限は、２８０ダルトン、２７０ダルトン、２６０ダルトン、２５０ダルトン、２４０ダルトン、２３０ダルトン、２２０ダルトン、２１０ダルトン、または２００ダルトンであり得る。一部の実施形態では、クラス１または２芳香成分のそれぞれは、１２０〜２００ダルトンの範囲内の分子量を有する。
【００３５】
材料のオクタノール−水分配係数（Ｐ）、すなわち、オクタノールおよび水中の材料の平衡濃度の比は、文献において疎水性および水溶解性の尺度として周知である（Ｌｅｏ，ｅｔ  ａｌ．（１９７１）Ｃｈｅｍ．Ｒｅｖ．７１：５２６〜６１６；Ｈａｎｓｃｈ，ｅｔ  ａｌ．（１９６８）Ｊ．Ｏｒｇ．Ｃｈｅｍ．  ３３：３４７〜３５０を参照されたい）。高い分配係数値は、底１０に対するそれらの対数、ｌｏｇＰの形態でより好都合に示される。ｌｏｇＰ値を実験的に、すなわち、直接的に測定することができ、かつ測定したｌｏｇＰデータが多くの香料について利用可能である一方、ｌｏｇＰ値は、数学アルゴリズムを使用して最も好都合に計算されるか、または概ね推定される。商業的に入手可能であるか、かつ／または文献（例えば、Ｌｅｏ（１９９３）Ｃｈｅｍ．Ｒｅｖ．９３（４）：１２８１〜１３０６を参照されたい）に記載されている、いくつかの認識されている計算または推定方法が存在する。一般に、これらのモデルは高度に相関するが、（０．５ｌｏｇ単位までもしくはそれよりも多い単位だけ）絶対項において異なる、特定の材料についてのｌｏｇＰ値を生じさせ得る。多くの芳香成分のｌｏｇＰ値が報告されてきた。例えば、Ｄａｙｌｉｇｈｔ  Ｃｈｅｍｉｃａｌ  Ｉｎｆｏｒｍａｔｉｏｎ  Ｓｙｓｔｅｍｓ，Ｉｎｃ．（Ｉｒｖｉｎｅ、ＣＡ）から入手可能なＰｏｍｏｎａ９２データベースは、オリジナル文献への引用と共に、多くを含有する。本発明の芳香アコードによると、クラス１または２芳香成分のｌｏｇＰ値は、少なくとも１．５単位である。さらに具体的には、クラス１または２芳香成分のｌｏｇＰ値は、１．５〜５．５単位であり、下限は、１．５、１．６、１．７、１．８、１．９、または２であり得、上限は、５．５、５、４．８、４．６、４．５、または４．４であり得る。一部の実施形態では、クラス１芳香成分のそれぞれは、１．５〜５．５、またはより好ましくは、１．７〜４．４のｌｏｇＰ値を有する。
【００３６】
本明細書に記載のように、芳香アコードは、それらの実験速度、拡散スピード、臭気性能、および／または部屋いっぱいに広がる能力に基づいて高影響のブルームを有することが見出された。一部の実施形態では、本発明の芳香アコードは、６０ｃｍの源からの距離での嗅覚的検出の時間によって決定するように、７秒もしくはそれ未満の拡散スピードを伴う、１種もしくは複数（例えば、少なくとも４種、少なくとも５種、および少なくとも６種）のクラス１芳香成分を有する。さらに、芳香アコードは、７秒超および１２秒未満の拡散スピードを伴う、１種もしくは複数（例えば、少なくとも４種、少なくとも５種、および少なくとも６種）のクラス２芳香成分を有することができる。したがって、本発明の芳香アコードは、０〜１２秒（例えば、０〜８秒、０〜６秒、および０〜５秒）の拡散スピードを有し、下限は、約０秒、０．５秒、１秒、１．５秒、２秒、２．５秒、３秒、３．５秒または４秒であり得、上限は、約１２秒、１１秒、１０秒、９秒、８秒、７．５秒、７秒、６．５秒または６秒であり得る。
【００３７】
クラス１芳香成分の非限定的例、およびそれらのそれぞれの特徴を、表１において提供する。
【００３８】
【表１−１】
2020500227.tif 000002
【００３９】
【表１−２】
2020500227.tif 000003
【００４０】
クラス２芳香成分の非限定的例、およびそれらのそれぞれの特徴を、表２において提供する。
【００４１】
【表２−１】
2020500227.tif 000004
【００４２】
【表２−２】
2020500227.tif 000005
【００４３】
【表２−３】
2020500227.tif 000006
【００４４】
【表２−４】
2020500227.tif 000007
【００４５】
表１および２において列挙する芳香成分は、商業的源、例えば、ＩＦＦ（Ｎｅｗ  Ｙｏｒｋ、ＮＹ）、Ｇｉｖａｕｄａｎ  Ｆｒａｇｒａｎｃｅｓ  Ｃｏｒｐ．（Ｅａｓｔ  Ｈａｎｏｖｅｒ、ＮＪ）、Ｓｙｍｒｉｓｅ（Ｂｒａｎｃｈｂｕｒｇ、ＮＪ）、およびＦｉｒｍｅｎｉｃｈ（Ｐｒｉｎｃｅｔｏｎ、ＮＪ）から容易に入手可能である。
【００４６】
クラス１芳香成分、すなわち、芳香アコードの構成要素（ｉ）の総量は、芳香アコードの重量によって、少なくとも７％（例えば、少なくとも８％、少なくとも９％、少なくとも１０％、少なくとも１５％、少なくとも２０％、７〜９５％、７〜７５％、および８〜７５％）を構成し、下限は、７重量％、８重量％、９重量％、１０重量％、１５重量％、２０重量％、２５重量％、３０重量％または３５重量％であり得、上限は、１００重量％、９５重量％、９０重量％、８０重量％、７５重量％、７０重量％、６５重量％、６０重量％、５５重量％、５０重量％、４５重量％または４０重量％であり得る。
【００４７】
クラス２芳香成分、すなわち、芳香アコードの構成要素（ｉｉ）の総量は、芳香アコードの重量によって、少なくとも５％（例えば、５〜９５％、５〜９０％、５〜８５％、５〜８０％、および５〜７０％）を構成し、下限は、５重量％、１０重量％、１５重量％、２０重量％、２５重量％、３０重量％または３５重量％であり得、上限は、９５重量％、９０重量％、８５重量％、８０重量％、７５重量％、７０重量％、６５重量％、６０重量％、５５重量％、５０重量％、４５重量％または４０重量％であり得る。
【００４８】
構成要素（ｉ）が、複数種のクラス１芳香成分から構成されるとき、各クラス１芳香成分は、構成要素（ｉ）の重量に基づいて、０．０２〜９９％（例えば、０．０２〜９０％、０．０２〜８０％、０．０２〜７０％、０．０２〜５０％、０．０２〜４０％、０．０２〜３０％、０．０２〜２０％、および０．０２〜１０％）のレベルで存在することができる。一部の実施形態では、クラス１芳香成分のそれぞれは、芳香アコードの重量によって、４０％未満（例えば、２０％未満、１２％未満）、０．０００１〜１０％、および０．００１〜５％を構成する。
【００４９】
同様に、構成要素（ｉｉ）が、複数種のクラス２芳香成分から構成されるとき、各クラス２芳香成分は、構成要素（ｉｉ）の重量によって、０．０１〜９９％（例えば、０．０２〜９０％、０．０２〜８０％、０．０２〜７０％、０．０２〜５０％、０．０２〜４０％、０．０２〜３０％、０．０２〜２０％、および０．０２〜１０％）のレベルで存在することができる。一部の実施形態では、クラス２芳香成分のそれぞれは、芳香アコードの重量によって、４０％未満（例えば、３０％未満、２０％未満、１２％未満）、０．０００１〜１０％、および０．００１〜５％を構成する。
【００５０】
構成要素（ｉ）および（ｉｉ）に加えて、芳香アコードは、０〜８０重量％のクラス３芳香成分を任意選択で含み得、下限は、０、５重量％、１０重量％、１５重量％、２０重量％、２５重量％、３０重量％、３５重量％、４０重量％、４５重量％または５０重量％であり得、上限は、８０重量％、７５重量％、７０重量％、６５重量％、６０重量％または５５重量％であり得る。
【００５１】
さらに、精油を、０〜３０重量％（例えば、０〜２０重量％および０〜１５重量％）の量で芳香アコード中に含むことができる。適切な精油発明の例には、これらに限定されないが、動物の芳香、例えば、ジャコウ油、シベット、カストリウム、およびアンバーグリス；ならびに植物の芳香、例えば、ナツメグエキストラクト、カルダモンエキストラクト、ショウキョウエキストラクト、シナモンエキストラクト、パリョリ油、ゼラニウム油、オレンジ油、マンダリン油、橙花エキストラクト、シダーウッド、ベチバー、ラバンジン、イランエキストラクト、チュベローズエキストラクト、ビャクダン油、ベルガモット油、ローズマリー油、スペアミント油、ハッカ油、レモン油、ラベンダー油、シトロネラ油、カモミール油（ジャーマン、マロック、またはローマン）、チョウジ油、セージ油、ネロリ油、ラダナム油、ユーカリ油、バーベナ油、ミモザエキストラクト、スイセンエキストラクト、ニンジン種子エキストラクト、ジャスミンエキストラクト、ウイキョウエキストラクト、ヒソップエキストラクト、杜松エキストラクト、レモングラスエキストラクト、オリバナムエキストラクト、ローズエキストラクト、ローズマリーエキストラクト、テンジクアオイエキストラクト、およびこれらの混合物が含まれる。
【００５２】
芳香アコードは典型的には、（ｉ）１０〜７５％のトップノート（例えば、１５〜７０％および２０〜６５％）、（ｉｉ）１０〜７５％のミドルノート（例えば、１５〜７０％、２０〜６５％、および２５〜６５％）、ならびに（ｉｉｉ）１〜２０のベースノート（例えば、１．５〜１５％および２〜１０％）を含有する。
【００５３】
本発明の芳香アコードはまた、芳香アコードの全重量に対して０〜９３重量％の量で、１種もしくは複数の無臭の溶媒または酸化阻害剤、またはこれらの混合物を含み得、下限は、０重量％、５重量％、１０重量％、１５重量％、２０重量％、２５重量％、３０重量％、３５重量％、４０重量％、４５重量％または５０重量％であり得、上限は、９３重量％、９０重量％、８５重量％、８０重量％、７５重量％、７０重量％、６５重量％、６０重量％または５５重量％であり得る。
【００５４】
芳香アコードを調製するのに有用な成分（クラス１、２および３の成分、ならびに他のアジュバント）の例は、下記を含む。
ｉ）炭化水素、例えば、３−カレン、α−ピネン、β−ピネン、α−テルピネン、γ−テルピネン、ｐ−シメン、ビサボレン、カンフェン、カリオフィレン、セドレン、ファルネセン、リモネン、ロンギホレン、ミルセン、オシメン、バレンセン、（Ｅ，Ｚ）−１，３，５−ウンデカトリエン、スチレン、およびジフェニルメタン；
ｉｉ）脂肪族アルコール、例えば、ヘキサノール、オクタノール、３−オクタノール、２，６−ジメチル−ヘプタノール、２−メチル−２−ヘプタノール、２−メチル−２−オクタノール、（Ｅ）−２−ヘキセノール、（Ｅ）−および（Ｚ）−３−ヘキセノール、１−オクテン−３−オール、３，４，５，６，６−ペンタメチル−３／４−ヘプテン−２−オールおよび３，５，６，６−テトラメチル−４−メチレンヘプタン−２−オールの混合物、（Ｅ，Ｚ）−２，６−ノナジエノール、３，７−ジメチル−７−メトキシオクタン−２−オール、９−デセノール、１０−ウンデセノール、４−メチル−３−デセン−５−オール、脂肪族アルデヒドおよびそれらのアセタール、例えば、ヘキサナール、ヘプタナール、オクタナール、ノナナール、デカナール、ウンデカナール、ドデカナール、トリデカナール、２−メチルオクタナール、２−メチルノナナール、（Ｅ）−２−ヘキセナール、（Ｚ）−４−ヘプテナール、２，６−ジメチル−５−ヘプテナール、１０−ウンデセナール、（Ｅ）−４−デセナール、２−ドデセナール、２，６，１０−トリメチル−５，９−ウンデカジエナール、ヘプタナール−ジエチルアセタール、１，１−ジメトキシ−２，２，５−トリメチル−４−ヘキセン、ならびにシトロネリルオキシアセトアルデヒド；
ｉｉｉ）脂肪族ケトンおよびそのオキシム、例えば、２−ヘプタノン、２−オクタノン、３−オクタノン、２−ノナノン、５−メチル−３−ヘプタノン、５−メチル−３−ヘプタノンオキシム、２，４，４，７−テトラ−メチル−６−オクテン−３−オン、脂肪族硫黄含有化合物、例えば、３−メチルチオ−ヘキサノール、３−メチルチオヘキシルアセテート、３−メルカプトヘキサノール、３−メルカプトヘキシルアセテート、３−メルカプト−ヘキシルブチレート、３−アセチルチオヘキシルアセテート、１−メンテン−８−チオール、ならびに脂肪族ニトリル（例えば、２−ノネンニトリル、２−トリデセンニトリル、２，１２−トリデセンニトリル、３，７−ジメチル−２，６−オクタジエンニトリル、および３，７−ジメチル−６−オクテンニトリル）；
ｉｖ）脂肪族カルボン酸およびそのエステル、例えば、（Ｅ）−および（Ｚ）−３−ヘキセニルホルメート、アセト酢酸エチル、酢酸イソアミル、酢酸ヘキシル、３，５，５−トリメチルヘキシルアセテート、３−メチル−２−ブテニルアセテート、（Ｅ）−２−ヘキセニルアセテート、（Ｅ）−および（Ｚ）−３−ヘキセニルアセテート、酢酸オクチル、３−オクチルアセテート、１−オクテン−３−イルアセテート、酪酸エチル、酪酸ブチル、酪酸イソアミル、酪酸ヘキシル、（Ｅ）−および（Ｚ）−３−ヘキセニルイソブチレート、クロトン酸ヘキシル、イソ吉草酸エチル、エチル−２−メチルペンタノエート、ヘキサン酸エチル、ヘキサン酸アリル、ヘプタン酸エチル、ヘプタン酸アリル、オクタン酸エチル、エチル−（Ｅ，Ｚ）−２，４−デカジエノエート、メチル−２−オクチネート、メチル−２−ノニネート、アリル−２−イソアミルオキシアセテート、ならびにメチル−３，７−ジメチル−２，６−オクタジエノエート；
ｖ）非環式テルペンアルコール、例えば、シトロネロール、ゲラニオール、ネロール、リナロール、ラバンジュロール、ネロリドール、ファルネソール、テトラヒドロリナロオール、テトラヒドロゲラニオール、２，６−ジメチル−７−オクテン−２−オール、２，６−ジメチルオクタン−２−オール、２−メチル−６−メチレン−７−オクテン−２−オール、２，６−ジメチル−５，７−オクタジエン−２−オール、２，６−ジメチル−３，５−オクタジエン−２−オール、３，７−ジメチル−４，６−オクタジエン−３−オール、３，７−ジメチル−１，５，７−オクタトリエン−３−オール、２，６−ジメチル−２，５，７−オクタトリエン−１−オール、ならびにそのギ酸エステル、酢酸エステル、プロピオン酸エステル、イソ酪酸エステル、酪酸エステル、イソ吉草酸エステル、ペンタン酸エステル、ヘキサン酸エステル、クロトン酸エステル、チグリン酸エステルおよび３−メチル−２−ブテン酸エステル；
ｖｉ）非環式テルペンアルデヒドおよびケトン、例えば、ゲラニアール、ネラール、シトロネラール、７−ヒドロキシ−３，７−ジメチルオクタナール、７−メトキシ−３，７−ジメチルオクタナール、２，６，１０−トリメチル−９−ウンデセナール、α−シネンサール、β−シネンサール、ゲラニルアセトン、ならびにゲラニアール、ネラールおよび７−ヒドロキシ−３，７−ジメチルオクタナールのジメチルおよびジエチルアセタール；
ｖｉｉ）環式テルペンアルコール、例えば、メントール、イソプレゴール、アルファ−テルピネオール、テルピネン−４−オール、メンタン−８−オール、メンタン−１−オール、メンタン−７−オール、竜脳、イソボルネオール、リナロールオキシド、ノポール、セドロール、アンブリノール、ベチベロール、グアイオール、ならびにアルファ−テルピネオール、テルピネン−４−オール、メタン−８−オール、メタン−１−オール、メタン−７−オール、竜脳、イソボルネオール、リナロールオキシド、ノポール、セドロール、アンブリノール、ベチベロール、およびグアイオールのギ酸エステル、酢酸エステル、プロピオン酸エステル、イソ酪酸エステル、酪酸エステル、イソ吉草酸エステル、ペンタン酸エステル、ヘキサン酸エステル、クロトン酸エステル、チグリン酸エステルおよび３−メチル−２−ブテン酸エステル；
ｖｉｉｉ）環式テルペンアルデヒドおよびケトン、例えば、メントン、イソメントン、８−メルカプトメンタン−３−オン、カルボン、カンファー、フェンコン、α−イオノン、β−イオノン、α−ｎ−メチルイオノン、β−ｎ−メチルイオノン、α−イソメチルイオノン、β−イソメチルイオノン、アルファ−イロン、α−ダマスコン、β−ダマスコン、β−ダマセノン、δ−ダマスコン、γ−ダマスコン、１−（２，４，４−トリメチル−２−シクロヘキセン−１−イル）−２−ブテン−１−オン、１，３，４，６，７，８ａ−ヘキサヒドロ−１，１，５，５−テトラメチル−２Ｈ−２，４ａ−メタノナフタレン−８（５Ｈ−）−オン、ヌートカトン、ジヒドロヌートカトン；アセチル化シダーウッド油（セドリルメチルケトン）；
ｉｘ）環式アルコール、例えば、４−ｔｅｒｔ−ブチルシクロヘキサノール、３，３，５−トリメチルシクロ−ヘキサノール、３−イソカンフィルシクロヘキサノール、２，６，９−トリメチル−Ｚ２，Ｚ５，Ｅ９−シクロドデカトリエン−１−オール、２−イソ−ブチル−４−メチルテトラヒドロ−２Ｈ−ピラン−４−オール；
ｘ）脂環式アルコール、例えば、アルファ、３，３−トリメチルシクロ−ヘキシルメタノール、２−メチル−４−（２，２，３−トリメチル−３−シクロペンタ−１−イル）ブタノール、２−メチル−４−（２，２，３−トリメチル−３−シクロペンタ−１−イル）−２−ブテン−１−オール、２−エチル−４−（２，２，３−トリメチル−３−シクロペンタ−１−イル）−２−ブテン−１−オール、３−メチル−５−（２，２，３−トリメチル−３−シクロペンタ−１−イル）−ペンタン−２−オール、３−メチル−５−（２，２，３−トリメチル−３−シクロペンタ−１−イル）−４−ペンテン−２−オール、３，３−ジメチル−５−（２，２，３−トリメチル−３−シクロペンタ−１−イル）−４−ペンテン−２−オール、１−（２，２，６−トリメチルシクロヘキシル）ペンタン−３−オール、１−（２，２，６−トリメチルシクロヘキシル）ヘキサン−３−オール；
ｘｉ）環式および脂環式エーテル、例えば、シネオール、セドリルメチルエーテル、シクロドデシルメチルエーテル；
ｘｉｉ）（エトキシメトキシ）シクロドデカン；アルファ−セドレンエポキシド、３ａ，６，６，９ａ−テトラメチル−ドデカヒドロナフト［２，１−ｂ］フラン、３ａ−エチル−６，６，９ａ−トリメチルドデカヒドロナフト［２，１−ｂ］フラン、１，５，９−トリメチル−１３−オキサビシクロ［１０．１．０］−トリデカ−４，８−ジエン、ローズオキシド、２−（２，４−ジメチル−３−シクロヘキセン−１−イル）−５−メチル−５−（１−メチルプロピル）−１，３−ジオキサン−；
ｘｉｉｉ）環状ケトン、例えば、４−ｔｅｒｔ−ブチルシクロヘキサノン、２，２，５−トリメチル−５−ペンチルシクロペンタノン、２−ヘプチルシクロペンタノン、２−ペンチルシクロペンタノン、２−ヒドロキシ−３−メチル−２−シクロペンテン−１−オン、３−メチル−ｃｉｓ−２−ペンテン−１−イル−２−シクロペンテン−１−オン、３−メチル−２−ペンチル−２−シクロペンテン−１−オン、３−メチル−４−シクロペンタデセノン、３−メチル−５−シクロペンタデセノン、３−メチルシクロペンタデカノン、４−（１−エトキシビニル）−３，３，５，５−テトラメチルシクロヘキサノン、４−ｔｅｒｔ−ペンチルシクロヘキサノン、５−シクロヘキサデセン−１−オン、６，７−ジヒドロ−１，１，２，３，３−ペンタメチル−４（５Ｈ）−インダノン、５−シクロヘキサデセン−１−オン、８−シクロヘキサデセン−１−オン、９−シクロヘプタデセン−１−オン、シクロペンタデカノン、脂環式アルデヒド、例えば、２，４−ジメチル−３−シクロヘキセンカルバルデヒド、２−メチル−４−（２，２，６−トリメチル−シクロヘキセン−１−イル）−２−ブテナール、４−（４−ヒドロキシ−４−メチルペンチル）−３−シクロヘキセンカルバルデヒド、４−（４−メチル−３−ペンテン−１−イル）−３−シクロヘキセンカルバルデヒド；
ｘｉｖ）脂環式ケトン、例えば、１−（３，３−ジメチルシクロヘキシル）−４−ペンテン−１−オン、１−（５，５−ジメチル−１−シクロヘキセン−１−イル）−４−ペンテン−１−オン、２，３，８，８−テトラメチル−１，２，３，４，５，６，７，８−オクタヒドロ−２−ナフタレニルメチル−ケトン、メチル−２，６，１０−トリメチル−２，５，９−シクロドデカトリエニルケトン、ｔｅｒｔ−ブチル−（２，４−ジメチル−３−シクロヘキセン−１−イル）ケトン；
ｘｖ）環式アルコールのエステル、例えば、２−ｔｅｒｔ−ブチルシクロヘキシルアセテート、４−ｔｅｒｔ−ブチルシクロヘキシルアセテート、２−ｔｅｒｔ−ペンチルシクロヘキシルアセテート、４−ｔｅｒｔ−ペンチルシクロヘキシルアセテート、デカヒドロ−２−ナフチルアセテート、３−ペンチルテトラヒドロ−２Ｈ−ピラン−４−イルアセテート、デカヒドロ−２，５，５，８ａ−テトラメチル−２−ナフチルアセテート、４，７−メタノ−３ａ，４，５，６，７，７ａ−ヘキサヒドロ−５または６−インデニルアセテート、４，７−メタノ−３ａ，４，５，６，７，７ａ−ヘキサヒドロ−５または６−インデニルプロピオネート、４，７−メタノ−３ａ，４，５，６，７，７ａ−ヘキサヒドロ−５または６−インデニル−イソブチレート、４，７−メタノオクタヒドロ−５または６−インデニルアセテート；
ｘｖｉ）脂環式カルボン酸のエステル、例えば、アリル３−シクロヘキシル−プロピオネート、アリルシクロヘキシルオキシアセテート、メチルジヒドロジャスモネート、ジャスモン酸メチル、メチル２−ヘキシル−３−オキソシクロペンタンカルボキシレート、エチル２−エチル−６，６−ジメチル−２−シクロヘキセンカルボキシレート、エチル２，３，６，６−テトラメチル−２−シクロヘキセンカルボキシレート、エチル２−メチル−１，３−ジオキソラン−２−アセテート；
ｘｖｉｉ）芳香族および脂肪族アルコール、例えば、ベンジルアルコール、１−フェニルエチルアルコール、２−フェニルエチルアルコール、３−フェニルプロパノール、２−フェニルプロパノール、２−フェノキシエタノール、２，２−ジメチル−３−フェニルプロパノール、２，２−ジメチル−３−（３−メチルフェニル）プロパノール、１，１−ジメチル−２−フェニルエチルアルコール、１，１−ジメチル−３−フェニルプロパノール、１−エチル−１−メチル−３−フェニルプロパノール、２−メチル−５−フェニルペンタノール、３−メチル−５−フェニルペンタノール、３−フェニル−２−プロペン−１−オール、４−メトキシベンジルアルコール、１−（４−イソプロピルフェニル）エタノール；
ｘｖｉｉｉ）脂肪族アルコールおよび脂肪族カルボン酸のエステル、例えば、酢酸ベンジル、プロピオン酸ベンジル、イソ酪酸ベンジル、イソ吉草酸ベンジル、２−フェニルエチルアセテート、２−フェニルエチルプロピオネート、２−フェニルエチルイソブチレート、２−フェニルエチルイソバレレート、１−フェニルエチルアセテート、α−トリクロロメチルベンジルアセテート、α，α−ジメチルフェニルエチルアセテート、アルファ、アルファ−ジメチルフェニルエチルブチレート、酢酸シンナミル、２−フェノキシエチルイソブチレート、４−メトキシベンジルアセテート、芳香脂肪族エーテル、例えば、２−フェニルエチルメチルエーテル、２−フェニルエチルイソアミルエーテル、２−フェニルエチル−１−エトキシエチルエーテル、フェニルアセトアルデヒドジメチルアセタール、フェニルアセトアルデヒドジエチルアセタール、ヒドロアトロパアルデヒドジメチルアセタール、フェニルアセトアルデヒドグリセロールアセタール、２，４，６−トリメチル−４−フェニル−１，３−ジオキサン、４，４ａ，５，９ｂ−テトラヒドロインデノ［１，２−ｄ］−ｍ−ダイオキシン、４，４ａ，５，９ｂ−テトラヒドロ−２，４−ジメチルインデノ［１，２−ｄ］−ｍ−ダイオキシン；
ｘｉｘ）芳香族および脂肪族アルデヒド、例えば、ベンズアルデヒド；フェニルアセトアルデヒド、３−フェニルプロパナール、ヒドロアトロプアルデヒド、４−メチルベンズアルデヒド、４−メチルフェニル−アセトアルデヒド、３−（４−エチルフェニル）−２，２−ジメチルプロパナール、２−メチル−３−（４−イソプロピルフェニル）プロパナール、２−メチル−３−（４−ｔｅｒｔ−ブチルフェニル）プロパナール、３−（４−ｔｅｒｔ−ブチルフェニル）プロパナール、シンナムアルデヒド、アルファ−ブチルシンナムアルデヒド、アルファ−アミルシンナムアルデヒド、アルファ−ヘキシルシンナムアルデヒド、３−メチル−５−フェニルペンタナール、４−メトキシベンズアルデヒド、４−ヒドロキシ−３−メトキシベンズアルデヒド、４−ヒドロキシ−３−エトキシベンズアルデヒド、３，４−メチレン−ジオキシベンズアルデヒド、３，４−ジメトキシベンズアルデヒド、２−メチル−３−（４−メトキシフェニル）プロパナール、２−メチル−３−（４−メチレンジオキシフェニル）プロパナール；
ｘｘ）芳香族および脂肪族ケトン、例えば、アセトフェノン、４−メチルアセトフェノン、４−メトキシアセトフェノン、４−ｔｅｒｔ−ブチル−２，６−ジメチルアセトフェノン、４−フェニル−２−ブタノン、４−（４−ヒドロキシフェニル）−２−ブタノン、１−（２−ナフタレニル）エタノン、ベンゾフェノン、１，１，２，３，３，６−ヘキサメチル−５−インダニルメチルケトン、６−ｔｅｒｔ−ブチル−１，１−ジメチル−４−インダニルメチルケトン、１−［２，３−ジヒドロ−１，１，２，６−テトラメチル−３−（１−メチル−エチル）−１Ｈ−５−インデニル］エタノン、５’，６’，７’，８’−テトラヒドロ−３’，５’，５’，６’，８’，８’−ヘキサメチル−２−アセトナフトン；
ｘｘｉ）芳香族および芳香脂肪族カルボン酸ならびにそのエステル、例えば、安息香酸、フェニル酢酸、安息香酸メチル、安息香酸エチル、安息香酸ヘキシル、安息香酸ベンジル、フェニル酢酸メチル、フェニル酢酸エチル、フェニル酢酸ゲラニル、フェニル酢酸フェニルエチル、ケイ皮酸メチル、ケイ皮酸エチル、ケイ皮酸ベンジル、ケイ皮酸フェニルエチル、ケイ皮酸シンナミル、フェノキシ酢酸アリル、サリチル酸メチル、サリチル酸イソアミル、サリチル酸ヘキシル、サリチル酸シクロヘキシル、ｃｉｓ−３−ヘキセニルサリチレート、サリチル酸ベンジル、サリチル酸フェニルエチル、メチル２，４−ジヒドロキシ−３，６−ジメチルベンゾエート、エチル３−フェニルグリシデート、エチル３−メチル−３−フェニルグリシデート；
ｘｘｉｉ）窒素含有芳香族化合物、例えば、２，４，６−トリニトロ−１，３−ジメチル−５−ｔｅｒｔ−ブチルベンゼン、３，５−ジニトロ−２，６−ジメチル−４−ｔｅｒｔ−ブチルアセトフェノン、シンナモニトリル、５−フェニル−３−メチル−２−ペンテノニトリル、５−フェニル−３−メチルペンタノニトリル、アントラニル酸メチル、メチル−Ｎ−メチルアントラニレート；７−ヒドロキシ−３，７−ジメチル−オクタナール、２−メチル−３−（４−ｔｅｒｔ−ブチルフェニル）プロパナールまたは２，４−ジメチル−３−シクロヘキセンカルバルデヒドとのアントラニル酸メチルのシッフ塩基、６−イソプロピルキノリン、６−イソブチルキノリン、６−ｓｅｃ−ブチルキノリン、インドール、スカトール、２−メトキシ−３−イソプロピルピラジン、２−イソブチル−３−メトキシピラジン；
ｘｘｉｉｉ）フェノール、フェニルエーテルおよびフェニルエステル、例えば、エストラゴール、アネトール、ユージノール、オイゲニルメチルエーテル、イソオイゲノール、イソオイゲノールメチルエーテル、チモール、カルバクロール、ジフェニルエーテル、ベータ−ナフチルメチルエーテル、ベータ−ナフチルエチルエーテル、ベータ−ナフチルイソブチルエーテル、１，４−ジメトキシベンゼン、オイゲニルアセテート、２−メトキシ−４−メチルフェノール、２−エトキシ−５−（１−プロペニル）フェノール、ｐ−クレシルフェニルアセテート；
ｘｘｉｖ）複素環式化合物、例えば、２，５−ジメチル−４−ヒドロキシ−２Ｈ−フラン−３−オン、２−エチル−４−ヒドロキシ−５−メチル−２Ｈ−フラン−３−オン、３−ヒドロキシ−２−メチル−４Ｈ−ピラン−４−オン、２−エチル−３−ヒドロキシ−４Ｈ−ピラン−４−オン；
ｘｘｖ）ラクトン、例えば、１，４−オクタノリド、３−メチル−１，４−オクタノリド、１，４−ノナノリド、１，４−デカノリド、８−デセン−１，４−オリド、１，４−ウンデカノリド、１，４−ドデカノリド、１，５−デカノリド、１，５−ドデカノリド、１，１５−ペンタデカノリド、ｃｉｓ−およびｔｒａｎｓ−１１−ペンタデセン−１，１５−オリド、ｃｉｓ−およびｔｒａｎｓ−１２−ペンタデセン−１，１５−オリド、１，１６−ヘキサデカノリド、９−ヘキサデセン−１，１６−オリド、１０−オキサ−１，１６−ヘキサデカノリド、１１−オキサ−１，１６−ヘキサデカノリド、１２−オキサ−１，１６−ヘキサデカノリド、エチレン−１，１２−ドデカンジオエート、エチレン−１，１３−トリデカンジオエート、クマリン、２，３−ジヒドロクマリン、ならびにオクタヒドロクマリン；
ｘｘｖｉ）精油、コンクリート、アブソリュート、樹脂、レジノイド、バルサム、チンキ、例えば、アンバーグリスチンキ、アミリス油、アンゲリカ種油、トウキ油、アニス油、吉草油、メボウキ油、ツリーモスアブソリュート、ベイ油、ニガヨモギ油、ベンゾエレジノイド、ベルガモット油、蜜蝋アブソリュート、バーチタール油、苦扁桃油、セイバリー油、ブッコノキ葉油、カブリューバ油、カデ油、ショウブ根油、カンファー油、カナンガ油、カルダモン油、カスカリラ油、カッシア油、キンゴウカンアブソリュート、カストリウムアブソリュート、ニオイヒバ油、シダーウッド油、シスタス（ｃｉｓｔｕｓ）油、シトロネラ油、レモン油、コパイババルサム、コパイババルサム油、コリアンダー油、コスタス根油、クミン油、サイプレス油、ダバナ油、イノンド葉油、イノンド種子油、オードブルートアブソリュート、オークモスアブソリュート、エレミ油、エストラゴン油、ユーカリシトリオドラ油、ユーカリ油（シネオールタイプ）、ウイキョウ油、ファーニードル油、ガルバヌム油、ガルバヌム樹脂、ゼラニウム油、グレープフルーツ油、ユソウボク油、ガージャンバルサム、ガージャンバルサム油、ヘリクリサム（ｈｅｌｉｃｈｒｙｓｕｍ）アブソリュート、ヘリクリサム（ｈｅｌｉｃｈｒｙｓｕｍ）油、ショウキョウ油、アイリス根アブソリュート、アイリス根油、ジャスミンアブソリュート、ショウブ根油、ブルーカモミール油、ローマンカモミール油、ニンジン種子油、カスカリラ油、マツ葉油、スペアミント油、キャラウェー油、ラダナム油、ラブダナムアブソリュート、ラブダナム樹脂、ラバンジンアブソリュート、ラバンジン油、ラベンダーアブソリュート、ラベンダー油、レモングラス油、ラベージ油、蒸留法によるライム油、圧搾法によるライム油、リナロエ油、リトシーキュービバ（Ｌｉｔｓｅａ  ｃｕｂｅｂａ）油、ローレルリーフ油、メース油、マヨラナ油、マンダリン油、マソイ（樹皮）油、ミモザアブソリュート、アンブレット種子油、ジャコウチンキ、クラリセージ油、ナツメグ油、ミルラアブソリュート、ミルラ油、ミルテ油、チョウジ葉油、チョウジ芽油、ネロリ油、オリバナムアブソリュート、オリバナム油、オポパナックス油、橙花アブソリュート、オレンジ油、オリガヌム油、パルマローザ油、パリョリ油、荏の油、ペルーバルサ油、パセリ葉油、パセリ種子油、プチグレン油、ハッカ油、コショウ油、ピメント油、マツ油、ペニローヤル油、ローズアブソリュート、ロジウム油、バラ油、ローズマリー油、ダルマチアンセージ油、スパニッシュセージ油、ビャクダン油、セロリ種子油：スパイクラベンダー油、スターアニス油、エゴノキ油、タゲテス（ｔａｇｅｔｅｓ）油、ファーニードル油、ティーツリー油、テレビン油、タイム油、トルバルサム、トンカ豆アブソリュート、チュベローズアブソリュート、バニラエキストラクト、バイオレット葉アブソリュート、バーベナ油、ベチバー油、杜松子油、ワインリース油、アブサン油、冬緑油、イランイラン油、ヒソップ油、シベットアブソリュート、桂皮油、ケイヒ油、ならびにその画分またはそこから単離した成分；
（ｘｘｖｉｉ）これらに限定されないが、アセトアルデヒド、硫化ジメチル、酢酸エチル、プロピオン酸エチル、酪酸メチル、および酪酸エチルを含めたフレーバー。揮発性アルデヒドまたはエステルを含有するフレーバーは、例えば、酢酸シンナミル、シンナムアルデヒド、シトラール、ジエチルアセタール、酢酸ジヒドロカルビル、ギ酸オイゲニル、およびｐ−メチルアニソールを含む。インスタントフレーバー油中に存在し得る揮発性化合物のさらなる例は、アセトアルデヒド（リンゴ）；ベンズアルデヒド（サクランボ、アーモンド）；桂皮アルデヒド（シナモン）；シトラール、すなわち、アルファシトラール（レモン、ライム）；ネラール、すなわち、ベータシトラール（レモン、ライム）；デカナール（オレンジ、レモン）；エチルバニリン（バニラ、クリーム）；ヘリオトロピン、すなわち、ピペロナール（バニラ、クリーム）；バニリン（バニラ、クリーム）；アルファ−アミルシンナムアルデヒド（スパイシーでフルーティーなフレーバー）；ブチルアルデヒド（バター、チーズ）；バレルアルデヒド（バター、チーズ）；シトロネラール（モディファイ、多くのタイプ）；デカナール（柑橘類果実）；アルデヒドＣ−８（柑橘類果実）；アルデヒドＣ−９（柑橘類果実）；アルデヒドＣ−１２（柑橘類果実）；２−エチルブチルアルデヒド（液果類）；ヘキセナール、すなわち、ｔｒａｎｓ−２（液果類）；トリルアルデヒド（サクランボ、アーモンド）；ベラトルムアルデヒド（バニラ）；２，６−ジメチル−５−ヘプテナール、すなわち、メロナール（メロン）；２−６−ジメチルオクタナール（熟していない果物）；および２−ドデセナール（柑橘類、マンダリン）；サクランボ；またはブドウおよびこれらの混合物を含む。組成物はまた、味覚調節剤および人工甘味剤を含有し得る。本明細書において使用する場合、フレーバーは、オールスパイス、バジル、トウガラシ、シナモン、チョウジ、クミン、ディル、ニンニク油、マヨラナ、ナツメグ、パプリカ、黒コショウ、ローズマリー、およびウコン、精油、アニス油、キャラウェー油、チョウジ油、ユーカリ油、ウイキョウ油、ニンニク油、ショウキョウ油、ハッカ油、オニオン油、コショウ油、ローズマリー油、スペアミント油、柑橘油、オレンジ油、レモン油、橙皮油、タンジェリン油、ネギ臭のフレーバー、ニンニク油、リーキ、チャイブ、およびタマネギ、ボタニカルエキストラクト、アルニカ花エキストラクト、カモミール花エキストラクト、ホップエキストラクト、マリーゴールドエキストラクト、ボタニカルフレーバーエキストラクト、ブラックベリー、チコリ根、ココア、コーヒー、コーラノキ、カンゾウ根、ローズヒップ、サルサ根、サッサフラス樹皮、タマリンドおよびバニラエキストラクト、タンパク質加水分解物、加水分解された植物性タンパク質、肉タンパク質加水分解物、乳タンパク質加水分解物、ならびにＳ．Ｈｅａｔｈ，Ｓｏｕｒｃｅ  Ｂｏｏｋ  ｏｆ  Ｆｌａｖｏｒｓ，Ａｖｉ  Ｐｕｂｌｉｓｈｉｎｇ  Ｃｏ．，Ｗｅｓｔｐｏｒｔ  Ｃｏｎｎｅｃｔｉｃｕｔ，１９８１，ｐａｇｅｓ  １４９〜２７７において開示されているものを含めた天然および人工の両方の配合されたフレーバーに由来するスパイスオレオレジ���を含むと理解される。特定の好ましいフレーバーアジュバントには、これらに限定されないが、下記が含まれる。アニス油；エチル−２−メチルブチレート；バニリン；ｃｉｓ−３−ヘプテノール；ｃｉｓ−３−ヘキセノール；ｔｒａｎｓ−２−ヘプテナール；吉草酸ブチル；２，３−ジエチルピラジン；メチルシクロ−ペンテノロン；ベンズアルデヒド；吉草油；３，４−ジメトキシフェノール；酢酸アミル；アミルシンナメート、ｙ−ブチリルラクトン；フルフラール；トリメチルピラジン；フェニル酢酸；イソバレルアルデヒド；エチルマルトール；エチルバニリン；吉草酸エチル；酪酸エチル；ココアエキストラクト；コーヒー抽出物；ハッカ油；スペアミント油；チョウジ油；アネトール；カルダモン油；冬緑油；桂皮アルデヒド；エチル−２−メチルバレレート；ｇ−ヘキセニルラクトン；２，４−デカジエナール；２，４−ヘプタジエナール；メチルチアゾールアルコール（４−メチル−５−ｂ−ヒドロキシエチルチアゾール）；２−メチルブタンチオール；４−メルカプト−２−ブタノン；３−メルカプト−２−ペンタノン；１−メルカプト−２−プロパン；ベンズアルデヒド；フルフラール；フルフリルアルコール；２−メルカプトプロピオン酸；アルキルピラジン；メチルピラジン；２−エチル−３−メチルピラジン；テトラメチルピラジン；ポリスルフィド；二硫化ジプロピル；メチルベンジルジスルフィド；アルキルチオフェン；２，３−ジメチルチオフェン；５−メチルフルフラール；アセチルフラン；２，４−デカジエナール；グイアコール；フェニルアセトアルデヒド；ｂ−デカラクトン；ｄ−リモネン；アセトイン；酢酸アミル；マルトール；酪酸エチル；レブリン酸；ピペロナール；酢酸エチル；ｎ−オクタナール；ｎ−ペンタナール；ｎ−ヘキサナール；ジアセチル；グルタミン酸一ナトリウム；グルタミン酸一カリウム；硫黄含有アミノ酸、例えば、システイン；加水分解された植物性タンパク質；２−メチルフラン−３−チオール；２−メチルジヒドロフラン−３−チオール；２，５−ジメチルフラン−３−チオール；加水分解された魚タンパク質；テトラメチルピラジン；プロピルプロペニルジスルフィド；プロピルプロペニルトリスルフィド；ジアリルジスルフィド；ジアリルトリスルフィド；ジプロペニルジスルフィド；ジプロペニルトリスルフィド；４−メチル−２−［（メチルチオ）−エチル］−１，３−ジチオラン；４，５−ジメチル−２−（メチルチオメチル）−１，３−ジチオラン；４−メチル−２−（メチルチオメチル）−１，３−ジチオラン、ならびに米国特許第６，１１０，５２０号明細書および同第６，３３３，１８０号明細書に記載されているフレーバー成分；
（ｘｘｖｉｉｉ）これらに限定されないが、米国特許第６，６１０，６４８号明細書および欧州特許第２，５２４，７０４号明細書に開示されているものを含めたα，β−不飽和カルボニル化合物；アミルシンナムアルデヒド、ベンゾフェノン、安息香酸ベンジル、ベンジルイソオイゲノール、ベンジルフェニルアセテート、サリチル酸ベンジル、ケイ皮酸ブチル、酪酸シンナミル、イソ吉草酸シンナミル、プロピオン酸シンナミル、酢酸デシル、ミリスチン酸エチル、ケイ皮酸イソブチル、サリチル酸イソアミル、安息香酸フェネチル、フェネチルフェニルアセテート、クエン酸トリエチル、トリプロピレングリコールｎ−ブチルエーテル、ビシクロ［２．２．１］ヘプタ−５−エン−２−カルボン酸の異性体、エチルエステル、銀ナノ粒子、ウンデシレン酸亜鉛、β−ナフチルメチルエーテル、β−ナフチルケトン、ベンジルアセトンを含めた悪臭中和剤。これらは、ヘキサヒドロ−４，７−メタノインデン−５−イルプロピオネートおよびヘキサヒドロ−４，７−メタノインデン−６−イルプロピオネートの混合物；４−（２，６，６−トリメチル−２−シクロヘキセン−１−イル）−３−メチル−３−ブテン−２−オン；３，７−ジメチル−２，６−ノナジエン−１−ニトリル；ドデカヒドロ−３ａ，６，６，９ａ−テトラメチルナフト（２，１−ｂ）フラン；ｎ−ドデカン二酸のエチレングリコール環状エステル；１−シクロヘキサデセン−６−オン；１−シクロヘプタデセン−１０−オン；ならびにコーンミント油を含み得る。これらはまた、１−シクロヘキシルエタン−１−イルブチレート；１−シクロヘキシルエタン−１−イルアセテート；１−シクロヘキシルエタン−１−オール；１−（４’−メチルエチル）シクロヘキシルエタン−１−イルプロピオネート；および２’−ヒドロキシ−１’−エチル（２−フェノキシ）アセテートを含み得、これらの化合物のそれぞれは、商標ＶＥＩＬＥＸとしてＩｎｔｅｒｎａｔｉｏｎａｌ  Ｆｌａｖｏｒｓ＆Ｆｒａｇｒａｎｃｅｓ  Ｉｎｃによって市販されている。より適切な悪臭中和剤は、α−ケト、ベンズアルデヒド、またはα，β−不飽和カルボニル部分を含有するポリマー、例えば、米国特許出願公開第２０１２／０２９４８２１号明細書、同第２０１３／０１０１５４４号明細書および同第２０１３／０１０１５４５号明細書に記載されているものである；
（ｘｘｉｘ）任意のビタミン、その誘導体およびその塩を含めたビタミン。例は、下記の通りである。ビタミンＡならびにその類似体および誘導体（例えば、集団的にレチノイドとして公知である、レチノール、レチナール、パルミチン酸レチニル、レチノイン酸、トレチノイン、およびイソ−トレチノイン）、ビタミンＥ（トコフェロールおよびその誘導体）、ビタミンＣ（Ｌ−アスコルビン酸およびそのエステルおよび他の誘導体）、ビタミンＢ３（ナイアシンアミドおよびその誘導体）、アルファヒドロキシ酸（例えば、グリコール酸、乳酸、酒石酸、リンゴ酸、クエン酸など）、ならびにベータヒドロキシ酸（例えば、サリチル酸など）；
（ｘｘｘ）ビスグアニジン（例えば、ジグルコン酸クロルヘキシジン）、ジフェニル化合物、ベンジルアルコール、トリハロカルボアニリド、第四級アンモニウム化合物、エトキシ化フェノール、およびフェノール化合物、例えば、ハロ置換フェノール化合物、例えば、ＰＣＭＸ（すなわち、ｐ−クロロ−ｍ−キシレノール）、トリクロサン（すなわち、２，４、４’−トリクロロ−２’ヒドロキシ−ジフェニルエーテル）、チモール、ならびにトリクロカルバンを含めた抗菌物質；
（ｘｘｘｉ）抗酸化剤、例えば、ベータカロテン、ビタミンＣ（アスコルビン酸）またはそのエステル、ビタミンＡまたはそのエステル、ビタミンＥまたはそのエステル、ルテインまたはそのエステル、リグナン、リコペン、セレン、フラボノイド、ビタミン様抗酸化剤、例えば、コエンザイムＱ１０（ＣｏＱ１０）およびグルタチオン、ならびに酸化防止酵素、例えば、スーパーオキシドジスムターゼ（ＳＯＤ）、カタラーゼ、およびグルタチオンペルオキシダーゼ；
（ｘｘｘｉｉ）例えば、サリチル酸メチル、アスピリン、イブプロフェン、およびナプロキセンを含めた抗炎症剤。局所適用において有用なさらなる消炎剤は、これらに限定されないが、フルランドレノリド、プロピオン酸クロベタゾール、プロピオン酸ハロベタゾール、プロピオン酸フルチカゾン、ジプロピオン酸ベタメタゾン、安息香酸ベタメタゾン、吉草酸ベタメタゾン、デスオキシメタゾン、デキサメタゾン、二酢酸ジフロラゾン、フロ酸モメタゾン、アムシノジン、ハルシノニド、フルオシノニド、フルオシノロンアセトニド、デソニド、トリアムシノロンアセトニド、ヒドロコルチゾン、酢酸ヒドロコルチゾン、フルオロメトロン、メチルプレドニゾロン、およびプレドニカルベートなどのコルチコステロイドを含む；
（ｘｘｘｉｉｉ）ベンゾカイン、ブタンベン、ピクリン酸ブタンベン、コカイン、プロカイン、テトラカイン、リドカインおよび塩酸プラモキシンを含めた局所的に送達することができる麻酔剤；
（ｘｘｘｉｖ）鎮痛剤、例えば、イブプロフェン、ジクロフェナク、カプサイシン、およびリドカイン；
（ｘｘｘｖ）抗真菌剤。非限定的例は、ミコナゾール、クロトリマゾール、ブトコナゾール、フェンチコナゾール、チオコナゾール、テルコナゾール、スルコナゾール、フルコナゾール、ハロプロジン、ケトナゾール、ケトコナゾール、オキシナゾール、エコナゾール、イトラコナゾール、テルビナフィン、ナイスタチンおよびグリセオフルビンである；
（ｘｘｘｖｉ）抗生物質、例えば、エリスロマイシン、クリンダマイシン、シントマイシン、テトラサイクリン、メトロニダゾールなど；
（ｘｘｘｖｉｉ）ファムシクロビル、バラシクロビルおよびアシクロビルを含めた抗ウイルス剤；
（ｘｘｘｖｉｉｉ）抗寄生虫剤、例えば、スカビセド、例えば、ペルメトリン、クロタミトン、リンデンおよびイベルメクチン；
（ｘｉｌ）過酸化ベンゾイル、硫黄、レソルシノールおよびサリチル酸を含めた、抗感染剤および抗にきび剤；
（ｘｌ）例えば、ホホバ油および芳香族油、例えば、サリチル酸メチル、ウィンターグリーン、ハッカ油、ベイ油、ユーカリ油および柑橘油、ならびにフェノールスルホン酸アンモニウム、次没食子酸ビスマス、フェノールスルホン酸亜鉛およびサリチル酸亜鉛を含めた、局所適用において有用な皮膚科学的活性成分；
（ｘｌｉ）コエンザイムＱ１０、パパイン酵素、リパーゼ、プロテアーゼ、スーパーオキシドジスムターゼ、フィブリノリジン、デスオキシリボヌクレアーゼ、トリプシン、コラゲナーゼおよびスチラインを含めた、局所適用のために有用な酵素およびコエンザイム；
（ｘｌｉｉ）皮膚ホワイトニング剤、例えば、ヒドロキノンおよびモノベンゾン；
（ｘｌｉｉｉ）クロルフェニラミン、ブロムフェニラミン、デキスクロルフェニラミン、トリプロリジン、クレマスチン、ジフェンヒドラミン、プロメタジン、ピペラジン、ピペリジン、アステミゾール、ロラタジンおよびテルフェナジンを含めた、抗ヒスタミン；
（ｘｌｉｖ）化学療法剤、例えば、５−フルオロウラシル、マソプロコール、メクロレタミン、シクロホスファミド、ビンクリスチン、クロランブシル、ストレプトゾシン、メトトレキサート、ブレオマイシン、ダクチノマイシン、ダウノルビシン、ドキソルビシンおよびタモキシフェン；ならびに
（ｘｌｖ）シラミの処理のための殺シラミ剤を含めた昆虫忌避剤、例えば、ピレトリン、ペルメトリン、マラチオン、リンデンなど。
【００５５】
上記で列挙した活性材料に加えて、本発明の製品はまた、例えば、下記の染料、着色剤または色素：ラクトフラビン（リボフラビン）、ベータカロテン、リボフラビン−５’−ホスフェート、アルファ−カロテン、ガンマ−カロテン、カンタキサンチン、エリスロシン、クルクミン、キノリンイエロー、イエローオレンジＳ、タルトラジン、ビキシン、ノルビキシン（アンナット、オルレアン）、カプサンチン、カプソルビン、リコペン、ベータ−アポ−８’−カロテナール、ベータ−アポ−８’−カロテン酸エチルエステル、キサントフィル（フラボキサンチン、ルテイン、クリプトキサンチン、ルビキサンチン、ビオラキサンチン、ロドキサンチン）、ファーストカルミン（カルミン酸、コチニール）、アゾルビン、コチニールレッドＡ（ポンソー４Ｒ）、ビートルートレッド、ベタニン、アントシアニン、アマランス、パテントブルーＶ、インジゴチンＩ（インジゴ−カルミン）、クロロフィル、クロロフィルの銅化合物、アシッドブリリアントグリーンＢＳ（リサミングリーン）、ブリリアントブラックＢＮ、野菜カーボン、二酸化チタン、酸化鉄および水酸化物、炭酸カルシウム、アルミニウム、銀、金、色素ルビンＢＫ（リソールルビンＢＫ）、メチルバイオレットＢ、ビクトリアブルーＲ、ビクトリアブルーＢ、アシランブリリアントブルーＦＦＲ（ブリリアントウールブルーＦＦＲ）、ナフトールグリーンＢ、アシランファーストグリーン１０Ｇ（アルカリファーストグリーン１０Ｇ）、セレスイエローＧＲＮ、スーダンブルーＩＩ、ウルトラマリン、フタロシアニンブルー、フタロシアニングリーン、ファーストアシッドバイオレットＲを含有することができる。さらなる天然に得られるエキストラクト（例えば、パプリカエキストラクト、黒ニンジンエキストラクト、赤キャベツエキストラクト）を、着色目的のために使用することができる。良好な結果はまた、下記で名前を挙げた色、いわゆる、アルミニウムレーキ：ＦＤ＆Ｃ黄色５号レーキ、ＦＤ＆Ｃ青色２号レーキ、ＦＤ＆Ｃ青色１号レーキ、タルトラジンレーキ、キノリンイエローレーキ、ＦＤ＆Ｃ黄色６号レーキ、ＦＤ＆Ｃ赤色４０号レーキ、サンセットエローレーキ、カルモイシンレーキ、アマランスレーキ、ポンソー４Ｒレーキ、エリスロシンレーキ、レッド２Ｇレーキ、アルラレッドレーキ、パテントブルーＶレーキ、インジゴカルミンレーキ、ブリリアントブルーレーキ、ブラウンＨＴレーキ、ブラックＰＮレーキ、グリーンＳレーキならびにこれらの混合物で達成される。
【００５６】
さらなる芳香成分は、例えば、Ａｒｃｔａｎｄｅｒ（２０００）Ｐｅｒｆｕｍｅ  Ｆｌａｖｏｒｓ  ａｎｄ  Ｃｈｅｍｉｃａｌｓ．Ｖｏｌｓ．Ｉ  ａｎｄ  ＩＩ，Ｍｏｎｔｃｌａｉｒ，ＮＪ；Ｔｈｅ  Ｍｅｒｃｋ  Ｉｎｄｅｘ，８ｔｈ  Ｅｄｉｔｉｏｎ（１９６８）Ｍｅｒｃｋ＆Ｃｏ．，Ｉｎｃ．ａｈｗａｙ，ＮＪ；Ａｌｌｕｒｅｄ’ｓ  Ｆｌａｖｏｒ  ａｎｄ  Ｆｒａｇｒａｎｃｅ  Ｍａｔｅｒｉａｌｓ（２０１５）Ａｌｌｕｒｅｄ  Ｐｕｂｌｉｓｈｉｎｇ  Ｃｏｒｐに記載されている。
【００５７】
芳香アコードは、０．０５〜５重量％（０．０５〜２重量％、０．１〜０．５重量％）のレベルで１種もしくは複数の抗菌物質をさらに含有することができる。抗菌物質の例は、メチルクレゾール、リナロール、マツスーパーエクストリーム、ビスグアニジン（例えば、ジグルコン酸クロルヘキシジン）、ジフェニル化合物、ベンジルアルコール、トリハロカルボアニリド、第四級アンモニウム化合物、エトキシ化フェノール、およびフェノール化合物、例えば、ハロ置換フェノール化合物、例えば、ＰＣＭＸ（すなわち、ｐ−クロロ−ｍ−キシレノール）、トリクロサン（すなわち、２，４，４’−トリクロロ−２’ヒドロキシ−ジフェニルエーテル）、チモール、およびトリクロカルバンを含む。
【００５８】
芳香アコードはまた、これらに限定されないが、米国特許第６，６１０，６４８号明細書および欧州特許第２，５２４，７０４号明細書に開示されているものを含めたα，β−不飽和カルボニル化合物；アミルシンナムアルデヒド、ベンゾフェノン、安息香酸ベンジル、ベンジルイソオイゲノール、ベンジルフェニルアセテート、サリチル酸ベンジル、ケイ皮酸ブチル、酪酸シンナミル、イソ吉草酸シンナミル、プロピオン酸シンナミル、酢酸デシル、ミリスチン酸エチル、ケイ皮酸イソブチル、サリチル酸イソアミル、安息香酸フェネチル、フェネチルフェニルアセテート、クエン酸トリエチル、トリプロピレングリコールｎ−ブチルエーテル、ビシクロ［２．２．１］ヘプタ−５−エン−２−カルボン酸の異性体、エチルエステル、銀ナノ粒子、ウンデシレン酸亜鉛、β−ナフチルメチルエーテル、β−ナフチルケトン、ベンジルアセトンを含めた、０．０５〜２０重量％（０．１〜１５重量％、０．２〜１０重量％、および０．３〜５重量％）の１種もしくは複数の悪臭中和剤を含有することができる。これらは、ヘキサヒドロ−４，７−メタノインデン−５−イルプロピオネートおよびヘキサヒドロ−４，７−メタノインデン−６−イルプロピオネートの混合物；４−（２，６，６−トリメチル−２−シクロヘキセン−１−イル）−３−メチル−３−ブテン−２−オン；３，７−ジメチル−２，６−ノナジエン−１−ニトリル；ドデカヒドロ−３ａ，６，６，９ａ−テトラメチルナフト（２，１−ｂ）フラン；ｎ−ドデカン二酸のエチレングリコール環状エステル；１−シクロヘキサデセン−６−オン；１−シクロヘプタデセン−１０−オン；ならびにコーンミント油を含み得る。これらはまた、１−シクロヘキシルエタン−１−イルブチレート；１−シクロヘキシルエタン−１−イルアセテート；１−シクロヘキシルエタン−１−オール；１−（４’−メチルエチル）シクロヘキシルエタン−１−イルプロピオネート；および２’−ヒドロキシ−１’−エチル（２−フェノキシ）アセテートを含み得、これらの化合物のそれぞれは、商標ＶＥＩＬＥＸとしてＩｎｔｅｒｎａｔｉｏｎａｌ  Ｆｌａｖｏｒｓ＆Ｆｒａｇｒａｎｃｅｓ  Ｉｎｃによって市販されている。より適切な悪臭中和剤は、α−ケト、ベンズアルデヒド、またはα，β−不飽和カルボニル部分を含有するポリマー、例えば、米国特許出願公開第２０１２／０２９４８２１号明細書、同第２０１３／０１０１５４４号明細書および同第２０１３／０１０１５４５号明細書に記載されているものである。
【００５９】
本芳香アコードは、通常の物理化学の知識、香料の専門的知識および通常の実務に反して、ヒトの鼻によってより速く検出され、増進された最初のブルームおよびブルーム／部屋いっぱいに広がる感覚性能を有する、一連の芳香成分を定義する。本発明の本芳香アコードはまた、利点、例えば、改善された悪臭のカバー、衛生、抗菌、新鮮および／または清浄な性状を示す。芳香アコードで達成されるより高いレベルの性能を所与として、より少ない量の芳香（例えば、通常の芳香の１０〜３０％）を、製品配合物中に添加し、それによって環境負荷およびアレルゲン性の問題を低減させることができる。さらに、クラス１芳香成分の多くは、天然の再生可能なリソースから（例えば、発酵プロセスからまたは植物材料の単純な抽出によって）利用可能である。
【００６０】
本発明の高強度のブルーム芳香アコードは、そのままで使用されるか（すなわち、未希釈）、または芳香処方中０．１％〜２５％で添加され、完全処方系を生じさせることができる。有利なことには、芳香アコード単独および完全処方系の両方は、同じまたはより低い投与量レベルを使用して、パリティーでまたはクラスにおいて最良の処方より高い、拡散スピード、臭気性能、および／またはブルーム／部屋いっぱいに広がる強度を有することができる。
【００６１】
代わりに、本発明の高強度のブルーム芳香アコードは、送達システム中にカプセル化することができる。クリーニングまたは前処置プロセスにおける様々な時において、芳香の送達を可能とする多種多様のカプセル化材料が存在する。適切なカプセル化材料は、デンプン、オリゴ糖、シクロデキストリン、ポリエチレン、ポリアミド、ポリスチレン、ポリイソプレン、ポリカーボネート、ポリエステル、ポリアクリレート、ビニルポリマー、ポリウレタン、アモルファスシリカ、沈降シリカ、ヒュームドシリカ、アルミノケイ酸塩、例えば、ゼオライトおよびアルミナ、ならびにこれらの混合物を含む。カプセル化材料が、アモルファスシリカ、沈降シリカ、ヒュームドシリカまたはアルミノケイ酸塩、例えば、ゼオライトおよびアルミナを含む場合には、細孔容積は少なくとも０．１ｍｌ／ｇであり、０．４〜１０ｎｍの直径を有する細孔を含む。適切な送達システムは、国際公開第２０１５／０２３９６１号パンフレット、国際公開第２０１４／０１１８６０号パンフレット、米国特許第７，１９６，０４９号明細書、米国特許出願公開第２００７／０１３８６７４号明細書、米国特許出願公開第２０１４／００４４７６０号明細書、米国特許出願公開第２０１４／００４４７６１号明細書、米国特許出願公開第２０１４／０２８７００８号明細書、および米国特許出願公開第２０１３／０３３０２９２号明細書に記載されているものを含む。
【００６２】
本発明の特定の態様は、液体洗剤、粉末洗剤、バー石鹸などを含めた消費者製品において使用するのに適した高強度の消費者に許容される芳香を提供することである。二次的な利点として、芳香アコードは、増進された悪臭のカバー、優れた衛生、新鮮および清浄な消費者性状、ならびに／またはより低い添加量の本発明を使用する可能性によって潜在的により少ない環境影響およびアレルゲン性の影響を提供する。したがって、本発明はまた、本明細書において開示されている有効量の高強度のブルーム芳香アコード、および芳香付けしていないファブリックケア製品ベースを含有するファブリックケア製品を提供する。一部の実施形態では、高強度のブルーム芳香アコードは、拡散スピードのための増進されたブルーム強度、およびブルーム／部屋いっぱいに広がること；増加した悪臭のカバー／低減；新鮮および清浄な芳香感覚性状、ならびに／または衛生／抗菌特性を提供する。
【００６３】
消費者製品は、０．０１〜２０重量％（例えば、０．０２〜１０重量％、０．０５〜５重量％、０．０５〜２重量％、０．１〜０．５重量％）のレベルで、上記の任意の芳香アコードを含有することができ、下限は、０．０１重量％、０．０２重量％、０．０５重量％、０．１重量％、０．２重量％、または０．５重量％であり得、上限は、２０重量％、１５重量％、１０重量％、８重量％、６重量％、５重量％、３重量％、２重量％、１重量％、０．８重量％、または０．５重量％であり得る。
【００６４】
本発明のファブリックケア製品は、粉末洗剤製品、液体洗剤製品、またはファブリックコンディショナー製品を含むことを意図する。例えば、洗濯用粉末洗剤（機械用および手洗い用）は、米国特許第５，８４０，６６８号明細書、同第５，２２７，０８４号明細書、同第６，０８０，７１１号明細書、同第５，４４３，７５１号明細書および同第５，５００，１５３号明細書。液体洗濯用洗剤は、米国特許第５，９２９，０２２号明細書、同第５，９１６，８６２号明細書、同第５，７３１，２７８号明細書、同第５，５６５，１４５号明細書、同第５，４７０，５０７号明細書、同第５，４６６，８０２号明細書、同第５，４６０，７５２号明細書、同第５，４５８，８１０号明細書、同第５，４５８，８０９号明細書、同第５，２８８，４３１号明細書、同第５，１９４，６３９号明細書、同第４，９６８，４５１号明細書、同第４，５９７，８９８号明細書、同第４，５６１，９９８号明細書、同第４，５５０，８６２号明細書、同第４，５３７，７０７号明細書、同第４，５３７，７０６号明細書、同第４，５１５，７０５号明細書、同第４，４４６，０４２号明細書、および同第４，３１８，８１８号明細書に記載されているそれらの系を含む。ファブリック柔軟剤およびコンディショナー製品は、例えば、米国特許第５，６５２，２０６号明細書、同第６，９４９，５００号明細書、同第６，５９３，２８９号明細書、同第４，４４６，０３２号明細書および同第９，１５０，８１９号明細書に記載されている。
【００６５】
適用。本発明の芳香アコードは、未希釈油としてまたは送達システム中にカプセル化されて、これらだけに限定されないが、下記の製品における使用に適している。
ａ）家庭用品
ｉ．本発明を使用することができる液体または洗濯用粉末洗剤は、米国特許第５，９２９，０２２号明細書、同第５，９１６，８６２号明細書、同第５，７３１，２７８号明細書、同第５，５６５，１４５号明細書、同第５，４７０，５０７号明細書、同第５，４６６，８０２号明細書、同第５，４６０，７５２号明細書、同第５，４５８，８１０号明細書、同第５，４５８，８０９号明細書、同第５，２８８，４３１号明細書、同第５，１９４，６３９号明細書、同第４，９６８，４５１号明細書、同第４，５９７，８９８号明細書、同第４，５６１，９９８号明細書、同第４，５５０，８６２号明細書、同第４，５３７，７０７号明細書、同第４，５３７，７０６号明細書、同第４，５１５，７０５号明細書、同第４，４４６，０４２号明細書、および同第４，３１８，８１８号明細書に記載されているそれらの系を含む。
ｉｉ．単位用量パウチ、錠剤およびカプセル剤、例えば、欧州特許出願公開第１４３１３８２Ａ１号明細書、米国特許出願公開第２０１３／０２１９９９６Ａ１号明細書、米国特許出願公開第２０１３／０２８４６３７Ａ１号明細書、および米国特許第６，４９２，３１５号明細書に記載されているもの。これらの単位用量配合物は、高濃度の機能材料（例えば、５〜１００％のファブリック柔軟化剤または洗剤活性成分）、芳香（例えば、０．５〜１００％、０．５〜４０％、および０．５〜１５％）、およびフレーバー（例えば、０．１〜１００％、０．１〜４０％、および１〜２０％）を含有することができる。これらは、水分含有率を３０％未満（例えば、２０％未満、１０％未満、および５％未満）もの低さに制限するために水を含有しなくてもよい。
ｉｉｉ．香りブースター、例えば、米国特許第７，８６７，９６８号明細書、米国特許第７，８７１，９７６号明細書、米国特許第８，３３３，２８９号明細書、米国特許出願公開第２００７／０２６９６５１Ａ１号明細書、および米国特許出願公開第２０１４／０１０７０１０Ａ１号明細書に記載されているもの。
ｉｖ．ファブリックケア製品、例えば、リンスコンディショナー（１〜３０重量％のファブリックコンディショニング活性成分を含有）、ファブリック液体コンディショナー（１〜３０重量％のファブリックコンディショニング活性成分を含有）、回転式乾燥機用シート状仕上げ剤、ファブリックリフレッシャー、ファブリックリフレッシャースプレー、アイロンかけ用液体、およびファブリック柔軟剤系、例えば、米国特許第６，３３５，３１５号明細書、同第５，６７４，８３２号明細書、同第５，７５９，９９０号明細書、同第５，８７７，１４５号明細書、同第５，５７４，１７９号明細書、同第５，５６２，８４９号明細書、同第５，５４５，３５０号明細書、同第５，５４５，３４０号明細書、同第５，４１１，６７１号明細書、同第５，４０３，４９９号明細書、同第５，２８８，４１７号明細書、同第４，７６７，５４７号明細書および同第４，４２４，１３４号明細書に記載されているもの。
液体布帛柔軟剤／フレッシュナーは、好ましくは、１〜３０％（例えば、４〜２０％、４〜１０％、および８〜１５％）の濃度で存在する、少なくとも１種のファブリック柔軟化剤を含有する。活性材料およびファブリック柔軟化剤の比は、１：５００〜１：２（例えば、１：２５０〜１：４および１：１００〜１：８）であり得る。例示として、ファブリック柔軟化剤がファブリック柔軟剤の５重量％であるとき、活性材料は、０．０１〜２．５％、好ましくは、０．０２〜１．２５％、より好ましくは、０．１〜０．６３％である。別の例として、ファブリック柔軟化剤がファブリック柔軟剤の２０重量％であるとき、活性材料は、０．０４〜１０％、好ましくは、０．０８〜５％、より好ましくは、０．４〜２．５％である。活性材料は、芳香、悪臭中和薬またはその混合物である。液体ファブリック柔軟剤は、０．１５〜１５％のカプセル（例えば、０．５〜１０％、０．７〜５％、および１〜３％）を有することができる。これらのレベルでカプセルを含むとき、柔軟剤中の未希釈油同等物（ＮＯＥ）は、０．０５〜５％（例えば、０．１５〜３．２％、０．２５〜２％、および０．３〜１％）である。
適切なファブリック柔軟化剤は、カチオン性界面活性剤を含む。非限定的例は、第四級アンモニウム化合物、例えば、アルキル化第四級アンモニウム化合物、環状もしくは環式第四級アンモニウム化合物、芳香族第四級アンモニウム化合物、ジ第四級アンモニウム化合物、アルコキシル化第四級アンモニウム化合物、アミドアミン第四級アンモニウム化合物、エステル第四級アンモニウム化合物、およびこれらの混合物である。ファブリック柔軟化組成物、およびその構成要素は一般に、米国特許出願公開第２００４／０２０４３３７号明細書および米国特許出願公開第２００３／００６０３９０号明細書において記載されている。適切な柔軟化剤は、エステルクアット、例えば、Ｅｖｏｎｉｋ  Ｉｎｄｕｓｔｒｉｅｓから市販されているＲｅｗｏｑｕａｔ  ＷＥ１８、およびＳｔｅｐａｎ  Ｃｏｍｐａｎｙから市販されているＳｔｅｐａｎｔｅｘ  ＳＰ−９０を含む。
ｖ．液体皿用洗剤、例えば、米国特許第６，０６９，１２２号明細書および同第５，９９０，０６５号明細書に記載されているもの
ｖｉ．自動皿用洗剤、例えば、米国特許第６，０２０，２９４号明細書、同第６，０１７，８７１号明細書、同第５，９６８，８８１号明細書、同第５，９６２，３８６号明細書、同第５，９３９，３７３号明細書、同第５，９１４，３０７号明細書、同第５，９０２，７８１号明細書、同第５，７０５，４６４号明細書、同第５，７０３，０３４号明細書、同第５，７０３，０３０号明細書、同第５，６７９，６３０号明細書、同第５，５９７，９３６号明細書、同第５，５８１，００５号明細書、同第５，５５９，２６１号明細書、同第４，５１５，７０５号明細書、同第５，１６９，５５２号明細書、および同第４，７１４，５６２号明細書に記載されているもの
ｖｉｉ．バケツで希釈可能なクリーナーおよびトイレクリーナーを含めた汎用クリーナー
ｖｉｉｉ．浴室用クリーナー
ｉｘ．トイレットペーパー
ｘ．じゅうたん用消臭剤
ｘｉ．ロウソク
ｘｉｉ．部屋用消臭剤
ｘｉｉｉ．床用クリーナー
ｘｉｖ．消毒剤
ｘｖ．窓用クリーナー
ｘｖｉ．ゴミ袋／くず入れライナー
ｘｖｉｉ．部屋用消臭剤および車用消臭剤、香りが付いたロウソク、スプレー、香りが付いた油のエアフレッシュナー、自動スプレーエアフレッシュナー、ならびに中和ゲルビーズを含めたエアフレッシュナー
ｘｖｉｉｉ．吸湿剤
ｘｉｘ．家庭用道具、例えば、ペーパータオルおよび使い捨てウェットティッシュ
ｘｘ．モスボール／トラップ／ケーク
ｂ）赤ちゃん用ケア製品
ｉ．おむつ皮膚炎用クリーム／バーム
ｉｉ．ベビーパウダー
ｃ）赤ちゃん用ケア道具
ｉ．おむつ
ｉｉ．よだれ掛け
ｉｉｉ．ウェットティッシュ
ｄ）口腔ケア製品。歯のケア製品（口腔ケアのために使用される本発明による調製品の一例といて）は一般に、研磨系（研磨剤またはポリッシング剤）、例えば、ケイ酸、炭酸カルシウム、リン酸カルシウム、酸化アルミニウムおよび／またはヒドロキシルアパタイト、表面活性物質、例えば、ラウリル硫酸ナトリウム、ラウリルサルコシン酸ナトリウムおよび／またはコカミドプロピルベタイン、保湿剤、例えば、グリセロールおよび／またはソルビトール、増粘剤、例えば、カルボキシメチルセルロース、ポリエチレングリコール、カラギーナンおよび／またはＬａｐｏｎｉｔｅ（商標）、甘味剤、例えば、サッカリン、不快な味覚感覚作用のための味覚修正剤、さらに、通常不快でない味覚感覚作用のための味覚修正剤、味覚調節物質（例えば、イノシトールリン酸、ヌクレオチド、例えば、グアノシン一リン酸、アデノシン一リン酸または他の物質、例えば、グルタミン酸ナトリウムもしくは２−フェノキシプロピオン酸）、冷却活性成分、例えば、メントール誘導体（例えば、Ｌ−メンチルラクテート、Ｌ−メンチルアルキルカーボネート、メントンケタール、メンタンカルボン酸アミド）、２，２，２−トリアルキル酢酸アミド（例えば、２，２−ジイソプロピルプロピオン酸メチルアミド）、イシリンおよびイシリン誘導体、安定剤および活性成分、例えば、フッ化ナトリウム、モノフルオロリン酸ナトリウム、二フッ化スズ、第四級フッ化アンモニウム、クエン酸亜鉛、硫酸亜鉛、ピロリン酸スズ、二塩化スズ、様々なピロホスフェートの混合物、トリクロサン、塩化セチルピリジニウム、乳酸アルミニウム、クエン酸カリウム、硝酸カリウム、塩化カリウム、塩化ストロンチウム、過酸化水素、フレイバリングおよび／または炭酸水素ナトリウムまたは味覚修正剤を含む。
ｉ．練り歯磨き。下記のような例示的な配合：
１．リン酸カルシウム、４０〜５５％
２．カルボキシメチルセルロース、０．８〜１．２％
３．ラウリル硫酸ナトリウム、１．５〜２．５％
４．グリセロール、２０〜３０％
５．サッカリン、０．１〜０．３％
６．フレーバー油、１〜２．５％
７．１００％までの十分な水
配合物を調製するための典型的な手順は、（ｉ）ブレンダーによって上記の配合によって混合し、練り歯磨きを提供するステップと、（ｉｉ）本発明の組成物を加え、均質となるまで生成した混合物をブレンドするステップとを含む。
ｉｉ．歯磨き粉
ｉｉｉ．口腔リンス
ｉｖ．歯の漂白剤
ｖ．義歯接着剤
ｅ）ヘルスケア道具
ｉ．デンタルフロス
ｉｉ．歯ブラシ
ｉｉｉ．レスピレーター
ｉｖ．香りが付いた／フレーバーが付いたコンドーム
ｆ）女性用衛生製品、例えば、タンポン、女性用ナプキンおよびウェットティッシュ、ならびにパンティーライナー
ｇ）パーソナルケア製品：化粧用または医薬調製物、例えば、「油中水」（Ｗ／Ｏ）型エマルジョン、「水中油」（Ｏ／Ｗ）型エマルジョン、または例えば、水中油中水（Ｗ／Ｏ／Ｗ）型の多重エマルジョンとして、ＰＩＴエマルジョン、ピッカリングエマルジョン、マイクロエマルジョンまたはナノエマルジョンとして；特に好ましいエマルジョンは、「水中油」（Ｏ／Ｗ）型または水中油中水（Ｗ／Ｏ／Ｗ）型のものである。さらに具体的には、
ｉ．パーソナルクレンザー（バー石鹸、ボディー洗浄液、およびシャワー用ジェル）
ｉｉ．インシャワーコンディショナー
ｉｉｉ．日焼け止め剤およびいれずみの色の保護（スプレー、ローション、およびスティック）
ｉｖ．昆虫忌避剤
ｖ．ハンド殺菌剤
ｖｉ．抗炎症性バーム、軟膏剤およびスプレー
ｖｉｉ．抗菌軟膏剤およびクリーム
ｖｉｉｉ．感覚物
ｉｘ．エアゾールおよびポンプスプレー制汗剤、スティック制汗剤、ロールオン制汗剤、エマルジョンスプレー制汗剤、クリアエマルジョンスティック制汗剤、ソフト固体制汗剤、エマルジョンロールオン制汗剤、クリアエマルジョンスティック制汗剤、不透明エマルジョンスティック制汗剤、クリアゲル制汗剤、クリアスティック脱臭剤、ゲル脱臭剤、スプレー脱臭剤、ロールオン、およびクリーム脱臭剤を含めた脱臭剤および発汗抑制剤。
ｘ．ワックスをベースとする脱臭剤。下記のような例示的な配合：
１．パラフィンワックス、１０〜２０％
２．炭化水素ワックス、５〜１０％
３．白色ワセリン、１０〜１５％
４．アセチル化ラノリンアルコール、２〜４％
５．アジピン酸ジイソプロピル、４〜８％
６．鉱油、４０〜６０％
７．保存剤（必要に応じ）
配合物は、（ｉ）上記の成分を混合し、（ｉｉ）融解するまで生成した組成物を７５℃に加熱し、（ｉｉｉ）温度を７５℃にて維持する一方で、撹拌しながら、芳香を含有する４％の極低温で粉砕したポリマーを加え、（ｉｖ）本発明の組成物を配合物に加える間に均一な懸濁液を確保するためにこのように得られた混合物を撹拌することによって、調製する。
ｘｉ．グリコール／石鹸タイプの脱臭剤。下記のような例示的な配合：
１．プロピレングリコール、６０〜７０％
２．ステアリン酸ナトリウム、５〜１０％
３．蒸留水、２０〜３０％
４．２，４，４−トリクロロ−２’−ヒドロキシジフェニルエーテル、Ｃｉｂａ−Ｇｅｉｇｙ  Ｃｈｅｍｉｃａｌ  Ｃｏｍｐａｎｙによって製造、およびＣｉｂａ−Ｇｅｉｇｙ  Ｃｈｅｍｉｃａｌ  Ｃｏｍｐａｎｙの商標、０．０１〜０．５％
成分を合わせ、ステアリン酸ナトリウムが溶解するまで撹拌しながら７５℃に加熱する。このように得られた混合物を、４０℃に冷却し、それに続いて、本発明の組成物を添加する。
ｘｉｉ．ボディーローション、フェイシャルローション、およびハンドローションを含めたローション
ｘｉｉｉ．ボディーパウダーおよびフットパウダー
ｘｉｖ．トイレタリー
ｘｖ．ボディースプレー
ｘｖｉ．ひげそりクリームおよび男性用グルーミング製品
ｘｖｉｉ．バスソーク
ｘｖｉｉｉ．角質除去スクラブ
ｈ）パーソナルケア道具
ｉ．化粧紙
ｉｉ．クレンジングウェットティッシュ
ｉ）ヘアケア製品
ｉ．シャンプー（液体および乾燥粉末）
ｉｉ．ヘアコンディショナー（すすぐコンディショナー、すすがないコンディショナー、およびクレンジングコンディショナー）
ｉｉｉ．ヘアリンス
ｉｖ．ヘアリフレッシャー
ｖ．ヘア香料
ｖｉ．ヘア矯正製品
ｖｉｉ．ヘアスタイリング製品、ヘア固定助剤およびスタイリング助剤
ｖｉｉｉ．ヘアコーミングクリーム
ｉｘ．ヘアワックス
ｘ．ヘアフォーム、ヘアゲル、フロンガスを使用しないポンプスプレー
ｘｉ．ヘアブリーチ、染料および着色剤
ｘｉｉ．パーマ剤
ｘｉｉｉ．ヘア用ウェットティッシュ
ｊ）ビューティーケア
ｉ．きめ細かい芳香−アルコール性。芳香カプセルをアルコール性のきめ細かい芳香中に組み込むための組成物および方法は、米国特許第４，４２８，８６９号明細書に記載されている。アルコール性のきめ細かい芳香は、下記を含有し得る。
１．エタノール（１〜９９％）
２．水（０〜９９％）
３．これらに限定されないが、ヒドロキシプロピルセルロース、エチルセルロース、シリカ、微結晶性セルロース、カラギーナン、アルギン酸プロピレングリコール、メチルセルロース、カルボキシメチルセルロースナトリウムまたはキサンタンガムを含めた懸濁助剤（０．１〜１％）
４．これらに限定されないが、上記に列挙したものを含めた、任意選択で乳化剤または皮膚軟化剤を含み得る。
ｉｉ．固体香料
ｉｉｉ．リップスティック／リップクリーム
ｉｖ．メーキャップクレンザー
ｖ．皮膚ケア化粧品、例えば、ファンデーション、パック、日焼け止め剤、皮膚用ローション、ミルキーローション、皮膚用クリーム、皮膚軟化剤、皮膚用ホワイトニング
ｖｉ．マニキュア、マスカラ、アイライナー、アイシャドウ、液体ファンデーション、粉末ファンデーション、リップスティックおよび頬紅を含めたメーキャップ化粧品
ｋ）消費者グッズの包装、例えば、芳香付けしたカートン、芳香付けしたプラスチックボトル／ボックス
ｌ）ペットケア製品
ｉ．ネコ用トイレ
ｉｉ．ノミおよびダニの処理製品
ｉｉｉ．ペットのグルーミング製品
ｉｖ．ペット用シャンプー
ｖ．ペット用おもちゃ、ごちそう、および咀嚼物
ｖｉ．ペット用トレーニングパッド
ｖｉｉ．ペット用キャリアおよびケージ
本明細書および特許請求の範囲において言及される全ての部、百分率および割合は、他に示さない限り重量による。
【００６６】
本明細書において開示されている値および寸法は、言及した正確な数値に厳密に限定されると理解されない。代わりに、他に特定しない限り、それぞれのこのような値は、言及した値およびその値を取り巻く機能的に同等な範囲の両方を意味することを意図する。例えば、「５０％」として開示されている値は、「約５０％」を意味することを意図する。
【００６７】
芳香成分の混合物は、芳香および香料の当業者によって「アコード」として公知である。用語「アコード」は、本明細書において使用する場合、「快い香り、臭気、エッセンス、または芳香特徴を与えるために巧妙に合わされた２種以上の「芳香成分」の混合物」として定義される。
【００６８】
本明細書において使用する場合、芳香成分または組成物という用語は、天然および合成由来両方の種々の芳香材料を定義すると見なされる。本発明の目的のために、「芳香成分」は本明細書において、単独でまたは他の「芳香成分」と組み合わせて、少なくとも１００ｇ／ｍｏｌの分子量を有し、かつ臭気、芳香、エッセンス、または香りを与えることにおいて有用である化合物として定義される。これらは、揮発性および臭気があり、液体または固体形態の、親水性または疎水性である、単一の化合物および混合物を含む。具体例は、現在の文献、例えば、Ｐｅｒｆｕｍｅ  ａｎｄ  Ｆｌａｖｏｒ  Ｃｈｅｍｉｃａｌｓ  ｂｙ  Ｓ．Ａｒｃｔａｎｄｅｒ，Ｍｏｎｔｃｌａｉｒ  Ｎ．Ｊ．（ＵＳＡ）；Ｆｅｎａｒｏｌｉ’ｓ  Ｈａｎｄｂｏｏｋ  ｏｆ  ｆｌａｖｏｕｒ  Ｉｎｇｒｅｄｉｅｎｔｓ，ＣＲＣ  Ｐｒｅｓｓ  ｏｒ  Ｓｙｎｔｈｅｔｉｃ  Ｆｏｏｄ  Ａｄｊｕｎｃｔｓ  ｂｙ  Ｍ．Ｂ．Ｊａｃｏｂｓ，ｖａｎ  Ｎｏｓｔｒａｎｄ  Ｃｏ．，Ｉｎｃ．；Ｓｔｅｆｆｅｎ  Ａｒｃｔａｎｄｅｒ  Ａｌｌｕｒｅｄ  Ｐｕｂ．Ｃｏ．（１９９４）および「Ｐｅｒｆｕｍｅｓ：Ａｒｔ，Ｓｃｉｅｎｃｅ  ａｎｄ  Ｔｅｃｈｎｏｌｏｇｙ」；およびＭｕｌｌｅｒ，Ｐ．Ｍ．ａｎｄ  Ｌａｍｐａｒｓｋｙ，Ｄ．，Ｂｌａｃｋｉｅ  Ａｃａｄｅｍｉｃ  ａｎｄ  Ｐｒｏｆｅｓｓｉｏｎａｌ（１９９４）において見出し得る。
【００６９】
用語「ｇ」、「ｍｇ」および「μｇ」は、それぞれ、「グラム」、「ミリグラム」および「マイクログラム」を指す。用語「Ｌ」および「ｍＬ」は、それぞれ、「リットル」および「ミリリットル」を指す。用語「ｃｍ」は、「センチメートル」を指す。用語「ｃｍ／秒」および「ｃｍ／ｓ」は両方とも、「センチメートル／秒」を指す。
【００７０】
本発明を、以下の非限定的実施例によってより詳細に記載する。さらなる詳細を伴わずに、当業者は、本明細書における記述に基づいて、本発明をその最も完全な程度まで利用することができると考えられる。本明細書において引用した全ての公開資料は、その全体が参照により組み込まれている。
【実施例】
【００７１】
実施例１〜３
典型的な芳香プローブを比較用芳香アコードとして使用して試験を行った。プローブは、０．７重量％のクラス１芳香成分（すなわち、酸化ジフェニル、ローズオキシド、マンザネート、およびガルバスコン）、２０．７重量％のクラス２芳香成分（すなわち、オキシジベンゼン、（２Ｒ，４Ｓ）−４−メチル−２−（２−メチルプロパ−１−エン−１−イル）テトラヒドロ−２Ｈ−ピラン、エチル２−メチルペンタノエート、および１−（５，５−ジメチルシクロヘキサ−１−エン−１−イル）ペンタ−４−エン−１−オン）、２０．７重量％のクラス２芳香成分（すなわち、２−メトキシナフタレン、３ａ，４，５，６，７，７ａ−ヘキサヒドロ−１Ｈ−４，７−メタノインデン−５−イルプロピオネート、（Ｅ）−３−メチル−４−（２，６，６−トリメチルシクロヘキサ−２−エン−１−イル）ブタ−３−エン−２−オン、４−メトキシベンズアルデヒド、ドデカナール、（Ｅ）−４−メチルデカ−３−エン−５−オール、および（１Ｓ，２Ｒ）−２，４−ジメチルシクロヘキサ−３−エン−１−カルバルデヒド）、７８．４％のクラス３芳香成分、ならびに０．２重量％の精油を含んだ。
【００７２】
本明細書において定義されている明細に従って、本発明の３種の芳香アコード（アコードＡ、ＢおよびＣ）を生じさせた。
【００７３】
アコードＡは、９％のクラス１芳香成分（すなわち、
１−（５，５−ジメチルシクロヘキサ−１−エン−１−イル）ペンタ−４−エン−１−オン、オキシジベンゼン、安息香酸メチル、１，３，３−トリメチル−２−オキサビシクロ［２．２．２］オクタン、エチル２−メチルブタノエート、メチル２−アミノベンゾエート）、１３．９５％のクラス２芳香成分（すなわち、２−メトキシナフタレン、（Ｅ）−トリデカ−２−エンニトリル、３ａ，４，５，６，７，７ａ−ヘキサヒドロ−１Ｈ−４，７−メタノインデン−５−イルプロピオネート、（Ｅ）−４−（２，６，６−トリメチルシクロヘキサ−１−エン−１−イル）ブタ−３−エン−２−オン、（Ｅ）−３−メチル−４−（２，６，６−トリメチルシクロヘキサ−２−エン−１−イル）ブタ−３−エン−２−オン、４−メトキシベンズアルデヒド、ドデカナール、（Ｅ）−４−メチルデカ−３−エン−５−オール、（１Ｒ，２Ｒ，４Ｒ）−１，７，７−トリメチルビシクロ［２．２．１］ヘプタン−２−オール、（Ｅ）−１−メトキシ−４−（プロパ−１−エン−１−イル）ベンゼン、３，７−ジメチルオクタ−６−エンニトリル、（１Ｓ，２Ｒ）−２，４−ジメチルシクロヘキサ−３−エン−１−カルバルデヒド、マツスーパーエクストリーム）、７０．５５％のクラス３芳香成分、例えば、４，７−メタノ−１Ｈ−インデノール、３ａ，４，５，６，７，７ａ−ヘキサヒドロ−、アセテート、１−２，６，６−トリメチル−３−シクロヘキセン−１−イル−２−ブテン−１−オン、および６．５０％の精油（すなわち、メボウキ油、バイオレット葉アブソリュート、グレープフルーツ油）を含有する。
【００７４】
アコードＢは、１３．６５％のクラス１芳香成分（すなわち、メチル２−アミノベンゾエート、１−（５，５−ジメチルシクロヘキサ−１−エン−１−イル）ペンタ−４−エン−１−オン、４−メチレン−２−フェニルテトラヒドロ−２Ｈ−ピラン、オキシジベンゼン、安息香酸メチル、（２Ｒ，４Ｓ）−４−メチル−２−（２−メチルプロパ−１−エン−１−イル）テトラヒドロ−２Ｈ−ピラン、（２−メトキシエチル）ベンゼン、ジペンテン、１，３，３−トリメチル−２−オキサビシクロ［２．２．２］オクタン、（１Ｒ，２Ｒ，４Ｒ）−エチルビシクロ［２．２．１］ヘプタ−５−エン−２−カルボキシレート、２−イソブチル−３−メトキシピラジン、１−メトキシ−４−メチルベンゼン、（３ａＲ，８ｂＳ）−２，２，６，６，７，８，８−ヘプタメチルデカヒドロ−２Ｈ−インデノ［４，５−ｂ］フラン）、６１．４０％のクラス２芳香成分（すなわち、２−メトキシナフタレン、トリデセン−２−ニトリル、３ａ，４，５，６，７，７ａ−ヘキサヒドロ−１Ｈ−４，７−メタノインデン−５−イルプロピオネート、（Ｅ）−４−（２，６，６−トリメチルシクロヘキサ−１−エン−１−イル）ブタ−３−エン−２−オン、（Ｅ）−３−メチル−４−（２，６，６−トリメチルシクロヘキサ−２−エン−１−イル）ブタ−３−エン−２−オン、４−メトキシベンズアルデヒド、ドデカナール、３−メチル−２−ペンチルシクロペンタ−２−エン−１−オン、（１Ｒ，２Ｒ，４Ｒ）−１，７，７−トリメチルビシクロ［２．２．１］ヘプタン−２−オール、（Ｅ）−ウンデカ−９−エナール、（Ｅ）−１−メトキシ−４−（プロパ−１−エン−１−イル）ベンゼン、３，７−ジメチルオクタ−６−エンニトリル、３，７−ジメチルオクタ−１，６−ジエン−３−オール、（１Ｓ，２Ｒ）−２，４−ジメチルシクロヘキサ−３−エン−１−カルバルデヒド、オクタナール、マツスーパーエクストリーム）、１３．２１％のクラス３芳香成分、例えば、ｔｒｉｓａｍｂｅｒおよびａｌｄ  ｃ−１２ＭＮＡ、ならびに１１．７４％の精油（すなわち、メボウキ油、チョウジ葉油、プチグレン油）を含有する。
【００７５】
アコードＣは、７１．５８％のクラス１芳香成分（すなわち、１−（５，５−ジメチルシクロヘキサ−１−エン−１−イル）ペンタ−４−エン−１−オン、４−メチレン−２−フェニルテトラヒドロ−２Ｈ−ピラン、オキシジベンゼン、１，３，３−トリメチル−２−オキサビシクロ［２．２．２］オクタン、ヘキサン酸エチル、エチル２−メチルブタノエート、（１Ｒ，２Ｒ，４Ｒ）−エチルビシクロ［２．２．１］ヘプタ−５−エン−２−カルボキシレート、チアゾール（２−イソプロピル４−メチル）、２−イソブチル−３−メトキシピラジン）、２５．４６％のクラス２芳香成分（すなわち、（Ｅ）−４−（２，６，６−トリメチルシクロヘキサ−２−エン−１−イル）ブタ−３−エン−２−オン、２−メトキシナフタレン、３ａ，４，５，６，７，７ａ−ヘキサヒドロ−１Ｈ−４，７−メタノインデン−５−イルプロピオネート、（Ｅ）−４−（２，６，６−トリメチルシクロヘキサ−１−エン−１−イル）ブタ−３−エン−２−オン、ドデカナール、（Ｅ）−４−メチルデカ−３−エン−５−オール、３，７−ジメチルオクタ−６−エンニトリル、３−（４−メチルシクロヘキサ−３−エン−１−イル）ブタナール、３，７−ジメチルオクタ−１，６−ジエン−３−オール、（１Ｓ，２Ｓ）−２−（ｔｅｒｔ−ブチル）シクロヘキサン−１−オール、２，６−ジメチルヘプタ−５−エナール、（１Ｓ，２Ｒ）−２，４−ジメチルシクロヘキサ−３−エン−１−カルバルデヒド、オクタナール、１−メチル−４−（プロパン−２−イリデン）シクロヘキサ−１−エン、マツスーパーエクストリーム）、０．０６％のクラス３芳香成分、ならびに２．９％の精油（すなわち、シネンサール油およびバイオレット葉アブソリュート）を含有する。
【００７６】
標準的な芳香プローブを、比較として、ならびにまたアコードＡ、Ｂ、およびＣを希釈するためのベースとして使用した。市販の芳香製品、すなわち、デンプンでカプセル化された芳香ベンチマークを、比較として使用した。
【００７７】
芳香アコードＡ、Ｂ、およびＣのそれぞれを、標準的な芳香プローブ中で２５％にて添加し、完全処方系Ａ、Ｂ、およびＣ（すなわち、２５％の芳香アコードＡ、ＢまたはＣ＋７５％の標準的な芳香プローブ）を生じさせた。３つの完全処方系のそれぞれを、芳香付けしていない粉末洗剤ベース中で０．３％および０．２％にて添加した。６人の審査員のパネルは、芳香付けした粉末洗剤（すなわち、芳香アコード＋芳香プローブ＋芳香付けしていない粉末ベース）の拡散スピード、芳香強度を評価した。さらに、芳香アコード（０．１％で添加する）を、デンプンでカプセル化された芳香ベンチマークおよび標準的な芳香プローブ（未希釈油）と比較した。３つの完全処方系を、拡散スピードおよび芳香強度について訓練を受けた官能検査パネラーによってスクリーニングした。芳香強度のスクリーニングにおいて、各芳香アコードは、０〜１００のラベルドマグニチュードスケール（ＬＭＳ）でスコア化した。５のスコアは芳香アコードが弱い臭いを有することを示し、１７のスコアは中程度の臭いを示し、３５超のスコアは非常に強い臭いを示す。完全処方系を、未希釈油（０．２％）およびデンプンでカプセル化された芳香ベンチマーク（０．０５％ＮＯＥ）を含有する総製品配合物ベンチマークと、およびまた標準的な芳香プローブ（０．１％での未希釈油）と比較した。提示した全ての統計結果を、９５％の信頼度を考慮してＡＮＯＶＡによって評価した。
【００７８】
拡散スピード。熟成した試料（例えば、２週間）に対するこの分析の結果は、３つの芳香アコード全てが、参照芳香プローブおよび芳香デンプンプローブと比較したとき、拡散スピードについて増進された性能を有したことを示した。さらに、予想外に、３つの芳香アコードは、ベンチマーク製品より有意に良好な拡散スピードを示した。それぞれ、アコードＡ、Ｂ、およびＣは、２９．１３、２２．９１、および２８．３９の芳香強度を有した。対照的に、標準的な芳香プローブは、１６．１７の芳香強度を有し、デンプンでカプセル化された芳香ベンチマークは、１８．４５の芳香強度を有した。拡散スピードに関して、それぞれ、アコードＡ、Ｂ、およびＣは、３．７９秒、４．４４秒、および４．１８秒の拡散スピードを有した。比較として、標準的な芳香プローブおよびデンプンでカプセル化された芳香ベンチマークは、それぞれ、４．７４秒および５．７４秒の拡散スピードを有した。
【００７９】
３つの完全芳香系に関して、芳香プローブおよびベンチマーク製品と比較したとき、条件におけるパリティーレベルが、拡散スピードについて観察された（１種の完全芳香系は、またより速い拡散スピードを有する）。
【００８０】
芳香強度。結果は、３つの芳香アコード全てが、参照芳香プローブより有意に高い芳香の強さを有したことを示した。
【００８１】
さらに、３種の完全芳香系Ａ、Ｂ、およびＣの全ては、標準的な芳香プローブより有意に高い芳香の強さを有し、かつ芳香未希釈油およびデンプンでカプセル化された芳香を含有するベンチマーク製品に対してパリティーであったことが観察された。
【００８２】
粉末洗剤ベース中で０．３％にて添加されて、それぞれ、完全芳香系Ａ、Ｂ、およびＣは、１８．７８、１６．９５、および１８．７９の芳香強度、ならびに４．４７秒、４．０９秒、および４．５６秒の拡散スピードを有した。ベンチマーク製品は、１８．４５の芳香強度および５．７４の拡散スピードを有した。
【００８３】
粉末洗剤ベース中で０．２％にて添加されて、それぞれ、完全芳香系Ａ、Ｂ、およびＣは、１６．０７、１５．０６、および１６．４３の芳香強度を有した。
【００８４】
ベンチマークが芳香未希釈油と、（消費者製品ベースに対する芳香成分の化学的保護による熟成した試料について）水相と接触したときに浸漬／ブルーム段階における芳香性能において有意な改善を実現するために当技術分野において公知であるカプセル化技術（デンプン）とを含有したため、この結果は予想外であった。さらに、ブルーミング芳香アコードを未希釈油として含有する完全芳香系のいずれかは、完全芳香系（未希釈油およびカプセル化技術を含有する）であるベンチマーク製品とパリティーであった芳香性能強度を有したことが観察された。
【００８５】
分析的ヘッドスペース測定。芳香プローブ＋アコード（アコード２５％、プローブ７５％、０．１％での総添加量）のヘッドスペースを、標準化された分析的動的ヘッドスペース法によって測定し、水への芳香付けした粉末洗剤の溶解後、短時間および長時間の両方における、プローブ単独（０．１％で添加）より有意に高い量のヘッドスペース分子が明らかとなった。さらに、臭気強度を、臭気値コンセプト（ＯＶ）を使用して測定したピーク面積から計算した。ＯＶモデル、および芳香配合物へのその適用性、および感覚認知についての詳細は、文献において見出すことができる。Ｍ．Ｔｅｉｘｅｉｒａ  ｅｔ  ａｌ．，Ｐｅｒｆｕｍｅ  Ｅｎｇｉｎｅｅｒｉｎｇ：Ｄｅｓｉｇｎ，Ｐｅｒｆｏｒｍａｎｃｅ＆Ｃｌａｓｓｉｆｉｃａｔｉｏｎ，ＢＨ  Ｅｌｓｅｖｉｅｒ，Ｏｘｆｏｒｄ，ＵＫ，２０１３を参照されたい。このアプローチによって、芳香プローブ＋アコードの臭気の計算した強度が、プローブ単独より有意に高かったことがまた観察され、このように、分析的測定を検証した。これは、ここで開示されているアコードの増進された芳香性能に関する利点を示す。
【００８６】
悪臭のカバー。悪臭のカバー／抗微生物特性データベースを使用して、芳香アコードをまた設計した。この点において、悪臭のカバーおよび抗微生物特性を有する特定の芳香材料は、配合物（例えば、とりわけ、マツスーパーエクストリーム、３，７−ジメチルオクタ−１，６−ジエン−３−オール、３，７−ジメチルオクタン−３−オール、および３−エトキシ−４−ヒドロキシベンズアルデヒド）中に含まれた。例えば、≧０．０５％の米国特許第６，４９５，５１２号明細書に開示されている抗菌／香料組成物の少なくとも１つを含有する香料組成物を使用して、抗菌特性を有する一方で、土のような、かび臭いおよび青々したアンダートーンを伴う興味深い草本、柑橘類、スパイシー、フローラル、スイートおよびバニリンのアロマを与えることができることが見出されてきた。この分析の結果は、悪臭中和剤を含有する２種の芳香アコードが、柑橘油ベンチマークに対してかびおよび汗についての悪臭のカバーレベルにおける有意な増強を有したことを示した。
【００８７】
衛生／抗菌。芳香アコードは、上記の抗菌成分を含有することができる。適切な抗菌成分の一覧については米国特許第６，４９５，５１２号明細書を参照されたい。≧０．０５％の少なくとも１種の抗菌物質を含有する本発明の芳香アコードを使用して、抗菌特性を有する一方で魅力的なアロマを与えることができることが見出されてきた。大腸菌（ｅ．ｃｏｌｉ）、エンテロコッカスヒラエ（ｅ．ｈｉｒａｅ）、黄色ブドウ球菌（ｓ．ａｕｒｅｏｓ）および他の細菌に対して高い抗菌活性を有する芳香成分は、とりわけ、１−メトキシ−４−メチルベンゼン、３，７−ジメチルオクタ−１，６−ジエン−３−オール、およびマツスーパーエクストリームを含む。
実施例４および５
本発明のアコードＤは、（ｉ）８．１％の４種のクラス１成分：ローズオキシド、ガルバスコン、トロピカリア、およびエチル−２−メチルブチレートを使用することによって調製した。
【００８８】
本発明の芳香１は、５部のアコードＤを７５部の芳香Ｓｅｒｅｎａ（Ｉｎｔｅｒｎａｔｉｏｎａｌ  Ｆｌａｖｏｒｓ＆Ｆｒａｇｒａｎｃｅｓ、Ｕｎｉｏｎ  Ｂｅａｃｈ、ＮＪから市販されている）に加えることによって調製した。芳香Ｓｅｒｅｎａは、０．３７５％のみのクラス１成分を含有し、対照として使用した。
【００８９】
本発明のシャンプー組成物１は、１％のレベルで芳香付けしていないモデルシャンプーベース中に芳香１を添加することによって調製した。シャンプー組成物を、評価の前に室温にて少なくとも２４時間柔らかくした。
【００９０】
比較用シャンプー組成物は、シャンプー組成物１と同じ添加量で、芳香Ｓｅｒｅｎａと香りが付いていないシャンプーベースとを混合することによって調製した。
シャンプー性能
シャンプー組成物１および比較用シャンプー組成物のそれぞれを、湿ったヘアスウォッチに塗布し、過剰な水を絞り出した。次いで、ヘアスウォッチを泡立て、水ですすいだ。
【００９１】
訓練された審査員のパネルは、０〜１００の範囲のスケールで芳香強度を評価した。５の数値は、ヘアスウォッチが弱い強度を生じさせたことを示す一方で、３０の値は、ヘアスウォッチが非常に強い臭いを生じさせたことを示した。
【００９２】
予想外に、シャンプー組成物１で処理したヘアスウォッチは、ブルーム段階において１３．６の芳香強度を有し、一方、比較用シャンプー組成物で処理したヘアスウォッチは、１２．６の芳香強度を有した。
実施例６〜８
本発明の３種の芳香アコード、すなわち、アコードＥ、Ｆ、およびＧを調製した。
【００９３】
アコードＥは、９％のクラス１成分を含有した。
【００９４】
アコードＦは、１１％のクラス１成分を含有した。
【００９５】
アコードＧは、１３％のクラス１成分を含有した。
【００９６】
アコードＥ、ＦおよびＧは、クラス１成分の量が異なったこと以外は、同じ芳香成分を含有した。下記の表３を参照されたい。
【００９７】
比較用アコード２’は、アコードＥと同じ芳香成分を使用して調製したが、５％のみのクラス１成分を伴った。
【００９８】
【表３】
2020500227.tif 000008
【００９９】
拡散スピード
上記のプロトコルに従って、アコードＥ、Ｆ、Ｇ、および比較用２’の拡散スピードを測定した。
【０１００】
アコードＥ、Ｆ、およびＧのそれぞれは、２．８８秒、２．７２秒、および２．８１秒の拡散スピードを有した。比較用２’は、３．２秒の拡散スピードを有した。
実施例９および１０
本発明の芳香Ｅは、１１％のアコードＥをモデル芳香Ａｒｉｅｌ  Ｓｕｎｒｉｓｅ（ＩＦＦ、Ｈｉｌｖｅｒｓｕｍ、Ｎｅｔｈｅｒｌａｎｄｓから市販されている）に加えることによって調製した。芳香Ａｒｉｅｌ  Ｓｕｎｒｉｓｅは、４．２％のクラス１成分を含有した。芳香Ｅは、５％のクラス１成分を含有した。
【０１０１】
本発明の粉末洗剤組成物Ｅは、０．１％の芳香Ｅを、香りが付いていないモデル粉末洗剤に加えることによって調製した。比較用洗剤４’は、芳香Ｅの代わりに０．１％の芳香Ａｒｉｅｌ  Ｓｕｎｒｉｓｅを加えることによって調製した。
【０１０２】
芳香強度および拡散スピードを評価した。組成物Ｅは、２２．５５の芳香強度および２．３３秒の拡散スピードを有した。比較用洗剤４’は、１７．８７の芳香強度および２．８１秒の拡散スピードを有した。
実施例１１
本発明の芳香Ｆは、７％のアコードＦをＡｒｉｅｌ  Ｓｕｎｒｉｓｅに加え、５．７３％のクラス１成分を有することによって調製した。
【０１０３】
芳香ＦおよびＡｒｉｅｌ  Ｓｕｎｒｉｓｅのそれぞれを、香りが付いていないモデル液体洗剤に１％で加えた。芳香Ｆを含有する液体洗剤は、Ａｒｉｅｌ  Ｓｕｎｒｉｓｅを含有する液体洗剤より速いブルーム香りを有した。
【０１０４】
芳香ＦおよびＡｒｉｅｌ  Ｓｕｎｒｉｓｅのそれぞれをまた、香りが付いていないファブリックコンディショナーに１％で加えた。芳香Ｆは、Ａｒｉｅｌ  Ｓｕｎｒｉｓｅと比較して、ブルームの改善されたスピード、および強度を示した。
実施例１２
本発明の芳香ＦＡは、モデル芳香Ｔｈｕｎｄｅｒ（ＩＦＦ、Ｈｉｌｖｅｒｓｕｍ、Ｎｅｔｈｅｒｌａｎｄｓから市販されている）を混合することによって調製した。芳香ＦＡは、８．３％のクラス１成分を含有した。芳香Ｔｈｕｎｄｅｒは、５．３％のクラス１成分を含有した。
【０１０５】
マイクロカプセルＦＡは、欧州特許第１７９７９４６Ｂ１号明細書に記載されている手順に従って芳香ＦＡを使用して調製した。
【０１０６】
比較用マイクロカプセル４’は、芳香Ｔｈｕｎｄｅｒを使用したこと以外は、同じ手順に従って調製した。
【０１０７】
両方のマイクロカプセルは、液体洗剤洗濯用途において評価した。マイクロカプセルＦＡは、比較用マイクロカプセル４’を超える、ブルームの改善されたスピード、およびまた芳香強度を示した。
実施例１３〜２０
本発明の４種の芳香アコードであるアコードＩ、Ｊ、Ｋ、およびＬは、様々な量のクラス１成分を使用して調製した。
【０１０８】
アコードＩは、１０．２重量％のクラス１成分（例えば、１，３，３−トリメチル−２−オキサビシクロ［２．２．２］オクタン、エチル２−メチルブタノエート、メチル２−アミノベンゾエート、１−メチル−４−（プロパ−１−エン−２−イル）シクロヘキサ−１−エン、（２Ｒ，４Ｓ）−４−メチル−２−（２−メチルプロパ−１−エン−１−イル）テトラヒドロ−２Ｈ−ピラン、安息香酸メチルおよび１−メトキシ−４−メチルベンゼン）、ならびに９．８重量％のクラス２成分を含有した。
【０１０９】
アコードＪは、５４重量％のクラス１成分（例えば、エチル２−メチルブタノエート、１−（５，５−ジメチルシクロヘキサ−１−エン−１−イル）ペンタ−４−エン−１−オン）、および１０重量％のクラス２成分を含有した。
【０１１０】
アコードＫは、１０．２重量％のクラス１成分（例えば、オキシジベンゼン、ヘキサン酸エチル、１−（５，５−ジメチルシクロヘキサ−１−エン−１−イル）ペンタ−４−エン−１−オン、２−（３−フェニルプロピル）ピリジン、（２Ｒ，４Ｓ）−４−メチル−２−（２−メチルプロパ−１−エン−１−イル）テトラヒドロ−２Ｈ−ピラン、メチル２−アミノベンゾエート、（１Ｒ，２Ｒ，４Ｒ）−エチルビシクロ［２．２．１］ヘプタ−５−エン−２−カルボキシレート、４−メチレン−２−フェニルテトラヒドロ−２Ｈ−ピラン）、および１０重量％のクラス２成分を含有した。
【０１１１】
アコードＬは、４６重量％のクラス１成分（例えば、オキシジベンゼン、（２Ｒ，４Ｓ）−４−メチル−２−（２−メチルプロパ−１−エン−１−イル）テトラヒドロ−２Ｈ−ピラン、４−メチレン−２−フェニルテトラヒドロ−２Ｈ−ピラン）、および２２．２重量％のクラス２成分を含有した。
【０１１２】
本発明の４種の芳香、すなわち、芳香Ｉ〜Ｌは、芳香Ｈａｐｐｙ  ＬｕｘｕｒｙまたはＨｅａｌｔｈｙ  Ｌｉｆｅ（両方の芳香はＩｎｔｅｒｎａｔｉｏｎａｌ  Ｆｌａｖｏｒｓ＆Ｆｒａｇｒａｎｃｅｓ、Ｕｎｉｏｎ  Ｂｅａｃｈ、Ｎｅｗ  Ｊｅｒｓｅｙから市販されている）を使用して調製した。芳香Ｈａｐｐｙ  Ｌｕｘｕｒｙは、０．１重量％のクラス１成分および１２．９５重量％のクラス２成分を含有した。芳香Ｈｅａｌｔｈｙ  Ｌｉｆｅは、２．６重量％のクラス１成分および６．１重量％のクラス２成分を含有した。
【０１１３】
芳香ＩおよびＪは、８０重量％のＨａｐｐｙ  Ｌｕｘｕｒｙおよび２０重量％のそれぞれ、アコードＩまたはアコードＪを混合することによって調製した。
【０１１４】
芳香ＫおよびＬは、８０重量％のＨｅａｌｔｈｙ  Ｌｉｆｅおよび２０重量％のそれぞれ、アコードＫまたはアコードＬを混合することによって調製した。
【０１１５】
芳香Ｉ〜Ｌのそれぞれは、ＩＦＦヤシベースのバー石鹸中の未希釈油に１重量％で別々に加えた。バー石鹸を、感覚試験の前に７日間熟成させた。
【０１１６】
芳香Ｈａｐｐｙ  ＬｕｘｕｒｙおよびＨｅａｌｔｈｙ  Ｌｉｆｅの両方を、対照として使用した。
【０１１７】
石鹸バーを、訓練された審査員のパネルによってブルーム芳香強度について０〜１００のスケールで評価した。５もしくはそれ未満のスコアは、芳香または成分が弱い臭いを有することを示す。１５のスコアは、中程度の臭いを示す。３５のスコアは、強い臭いを示す。
【０１１８】
ブルーム芳香強度の結果を、下記の表４において示す。
【０１１９】
【表４】
2020500227.tif 000009
【０１２０】
実施例２１〜２４
本発明の４種の芳香、すなわち、芳香Ｍ、Ｎ、Ｏ、およびＰを、芳香Ｓｏｌｉｔａｉｒｅ（Ｉｎｔｅｒｎａｔｉｏｎａｌ  Ｆｌａｖｏｒｓ＆Ｆｒａｇｒａｎｃｅｓ、Ｕｎｉｏｎ  Ｂｅａｃｈ、Ｎｅｗ  Ｊｅｒｓｅｙから市販されている）を使用して調製した。芳香Ｓｏｌｉｔａｉｒｅは、０．１４重量％のクラス１成分および１６．８重量％のクラス２成分を含有した。
【０１２１】
芳香Ｍ〜Ｐのそれぞれは、９５重量％のＳｏｌｉｔａｉｒｅおよび５重量％のそれぞれ、アコードＩ、Ｊ、Ｋ、またはＬを混合することによって調製した。芳香Ｓｏｌｉｔａｉｒｅは、対照として使用した。
【０１２２】
４つの芳香のそれぞれを、１．５重量％のレベルでモデルシャワー用ジェルに加え、シャワー用ジェルを、訓練された審査員のパネルが０〜１００のスケールでブルーム芳香強度について評価した。１５もしくはそれ未満のスコアは、芳香または成分が弱い臭いを有することを示す。２０〜４０のスコアは、中くらいの臭いを示す。４０超のスコアは、強い臭いを示す。
【０１２３】
ブルーム芳香強度結果を、下記の表５において示す。
【０１２４】
【表５】
2020500227.tif 000010
【０１２５】
他の実施形態
本明細書において開示されているフィーチャの全ては、任意の組合せで合わせ得る。本明細書において開示されている各フィーチャは、同じ、同等、または同様の目的を果たす代替のフィーチャで置き換えてもよい。このように、他に明確に記述しない限り、開示されているそれぞれのフィーチャは、一般的な一連の同等または同様のフィーチャのほんの一例である。
【０１２６】
実際に、高性能のブルーム芳香アコードまたは組成物を設計する目的を達成するために、当業者は、異なる成分および変動するそれらの濃度を選択することができる。
【０１２７】
上記の説明から、当業者は、本発明の本質的な特徴を容易に確認することができ、その精神および範囲から逸脱することなく、本発明の様々な変更および修正を行い、それを様々な用法および条件に適応させることができる。
【国際調査報告】
2020500227.tif 000011
2020500227.tif 000012
2020500227.tif 000013